(57)【要約】  無線通信システム（ＦＣ）の参加中の少なくとも１つの第１の無線通信機器（ＵＥ１）と参加中の少なくとも１つの第２の無線通信機器（ＵＥ２）との間の選択可能な通信接続であるパケット指向のＰＴＴセッション（ＰＣ）と伝送指向の電話接続（ＴＣ）との間で切り換えるために、前記２つの通信接続（ＰＣ）のうち第１の通信接続を、参加中の少なくとも１つの無線通信機器（ＵＥ１）および／または該無線通信システム（ＦＣ）の無線ネットワークの少なくとも１つの制御ユニット（ＰＴＴＳ１）によって選択および形成する。形成されている前記第１の通信接続から第２の通信接続（ＴＣ）へは、第１の通信接続（ＰＣ）に参加している少なくとも１つの無線通信機器（ＵＥ１）のコントロールおよび／または第１の通信接続に参加している無線通信システム（ＦＣ）の無線ネットワークの制御ユニット（ＰＴＴＳ１）のコントロールによって、第１の通信接続（ＰＣ）が未だ存在している間に第２の通信接続（ＴＣ）をアクティベートすることによって切り換えられる。
2007522745.tif 000002
【特許請求の範囲】
【請求項１】
無線通信システム（ＦＣ）の参加中の少なくとも１つの第１の無線通信機器（ＵＥ１）と参加中の少なくとも１つの第２の無線通信機器（ＵＥ２）との間で選択可能な通信接続であるパケット指向のＰＴＴセッション（ＰＣ）と伝送指向の電話接続（ＴＣ）とを切り換える方法において、
これら両通信接続（ＰＣ，ＴＣ）のうち第１の通信接続を、無線通信システム（ＦＣ）の参加中の少なくとも１つの無線通信機器（ＵＥ１）および／または無線ネットワークの少なくとも１つの制御ユニット（ＰＴＴＳ１）によって選択および形成し、
すでに形成されている該第１の通信接続（ＰＣ）から第２の無線通信（ＴＣ）へ、第１の無線通信（ＰＣ）に参加している無線通信機器（ＵＥ１）のコントロールおよび／または第１の通信接続（ＰＣ）に参加している該無線通信システム（ＦＣ）の無線ネットワークの制御ユニット（ＰＴＴＳ１）のコントロールによって切換を行い、
前記切換を行うために、未だ該第１の通信接続（ＰＣ）が存在する間に第２の通信接続（ＴＣ）をアクティベートすることを特徴とする方法。
【請求項２】
第１の無線通信機器（ＵＥ１）から第２の無線通信機器（ＵＥ２）へ、すでに形成された第１の通信接続（ＰＣ）を介して、少なくとも１つの制御信号（ＩＳ２）を伝送し、
前記制御信号（ＩＳ２）によって第２の無線通信機器（ＵＥ２）に対し、すでに形成された第１の通信接続（ＰＣ）から第２の通信接続（ＴＣ）へ切り換えたいという該第１の無線通信機器（ＵＥ１）の要望を通知する、請求項１記載の方法。
【請求項３】
すでに形成されている第１の通信接続（ＰＣ）の第１の無線通信機器（ＵＥ１）および／または第２の無線通信機器から、形成されている該第１の通信接続（ＰＣ）を担当する制御ユニット（ＰＴＴＳ１）へ少なくとも１つの制御信号（ＩＳ２＊）を伝送し、
該制御信号（ＩＳ２＊）によって前記制御ユニット（ＰＴＴＳ１）に対し、第１の通信接続（ＰＣ）から第２の通信接続（ＴＣ）へ切り換えたいという第１の無線通信機器（ＵＥ１）および／または第２の無線通信機器の要望を通知する、請求項１または２記載の方法。
【請求項４】
すでに形成されている第１の通信接続（ＰＣ）の第１の無線通信機器（ＵＥ１）および／または第２の無線通信機器から、形成すべき第２の通信接続（ＴＣ）を担当する制御ユニット（ＭＳＣ１）へ少なくとも１つの制御信号（ＩＳ１）を伝送し、
該制御信号（ＩＳ１）によって前記制御ユニット（ＭＳＣ１）に対し、第１の通信接続（ＰＣ）から第２の通信接続（ＴＣ）へ切り換えたいという第１の無線通信機器（ＵＥ１）および／または第２の無線通信機器の要望を通知する、請求項１から３までのいずれか１項記載の方法。
【請求項５】
すでに形成されている第１の通信接続（ＰＣ）の制御ユニット（ＰＴＴＳ１）から、第１の無線通信機器（ＵＥ１）および／または第２の無線通信機器（ＵＥ２）の切換の要望に関する制御信号（ＳＭ１）を、第２の通信接続（ＴＣ）のアクティベートおよび形成を担当する制御ユニット（ＭＳＣ１）へ伝送する、請求項１から４までのいずれか１項記載の方法。
【請求項６】
制御信号（ＩＳ２）に、
・第１の通信接続に参加し切換要望の送信先である無線通信機器（ＵＥ２）の１つまたは複数のアドレスパラメータ（ＰＮ１，ＰＮ２）、および／または、
・該第１の通信接続に参加し切換要望の送信元である無線通信機器（ＵＥ１）の１つまたは複数のアドレスパラメータ、および／または、
・形成すべき第２の通信接続（ＴＣ）に対してすでに形成された第１の通信接続（ＰＣ）を識別するための少なくとも１つの識別パラメータ（Ｐ１）
を挿入する、請求項２から５までのいずれか１項記載の方法。
【請求項７】
制御信号（ＩＳ２）中の前記識別パラメータ（Ｐ１）に基づいて、すでに形成されている第１の通信接続（ＰＣ）を、これから形成すべき第２の通信接続（ＴＣ）に対して対応づけることにより、すでに形成されている第１の通信接続（ＰＣ）と要望された第２の通信接続（ＴＣ）との間で一義的な結合を行う、請求項６記載の方法。
【請求項８】
第２の通信接続（ＴＣ）がアクティベートされた後、すでに形成されている第１の通信接続（ＰＣ）を解消および終了する、請求項１から７までのいずれか１項記載の方法。
【請求項９】
第２の通信接続（ＴＣ）がアクティベートされた後、すでに形成されている第１の通信接続（ＰＣ）に並行して該第２の通信接続（ＴＣ）を形成および維持する、請求項１から７までのいずれか１項記載の方法。
【請求項１０】
パケット指向のＰＴＴセッション（ＰＣ）に対する制御ユニット（ＰＴＴＳ１）として、ＰＴＴサーバを使用する、請求項１から９までのいずれか１項記載の方法。
【請求項１１】
伝送指向の電話接続（ＴＣ）に対する制御ユニット（ＭＳＣ１）として、ＭＳＣ交換ユニットを使用する、請求項１から１０までのいずれか１項記載の方法。
【請求項１２】
無線通信機器（ＵＥ１，ＵＥ２）において、請求項１から１１までのいずれか１項記載の方法を実施するための制御ユニット（ＳＴ１）を有することを特徴とする、無線通信機器（ＵＥ１，ＵＥ２）。
【請求項１３】
ネットワーク構成要素（ＰＴＴＳ１，ＭＳＣ１）において、請求項１から１１までのいずれか１項記載の方法を実施するための制御ユニット（ＳＶＳ）を有することを特徴とする、ネットワーク構成要素（ＰＴＴＳ１，ＭＳＣ１）。
【請求項１４】
無線通信システム（ＦＣ）において、
該無線通信システム（ＦＣ）の参加中の少なくとも１つの第１の無線通信機器（ＵＥ１）と参加中の少なくとも１つの第２の参加無線通信機器（ＵＥ２）との間の選択可能な通信接続であるパケット指向のＰＴＴセッション（ＰＣ）を選択および準備するための第１のグループ（Ｇ１）のネットワーク構成要素と、伝送指向の電話接続（ＴＣ）を選択および形成するための第２のグループのネットワーク構成要素とを備えており、
両グループのネットワーク構成要素はそれぞれ、請求項１から１１までのいずれか１項記載の方法を実施するための制御手段を有することを特徴とする、無線通信システム（ＦＣ）。
【発明の詳細な説明】
【技術分野】
【０００１】
発明の詳細な説明
少なくとも２つの無線通信端末機器間において、パケット指向のＰＴＴセッションと伝送指向の電話接続との間で切り換える方法、該方法に関連する無線通信機器、ネットワーク構成要素および無線通信システム
たとえば２つの参加者が無線通信システム内で、各参加者の無線通信機器を介して相互に会話をするか、または別の有効データを交換できるようにするために、通常はいわゆる伝送指向（「回線交換式（Circuit Switched）」）の電話接続がこれら２つの無線通信機器間において、エアインタフェースを介して無線ネットワークまで形成される。この伝送指向の電話接続によって、両無線通信機器のユーザがいわゆる全二重方式（「Full Duplex」）すなわち往復の伝送方向で、同時に話したり聴いたりすることができる。すなわち、同時に通信することができる。ここでは、参加している無線通信機器間にその時点で形成されている伝送指向の電話接続は、参加している無線通信機器のユーザのうち誰も話さない場合、または全体的に見て誰も有効データを送信しない場合でも維持される。すなわち両無線通信機器間の電話接続は、無線通信機器のうち１つが該電話接続の解消を能動的に開始するまでの間は、常に形成されたままである。
【０００２】
それに対して、比較的多数の通信シチュエーションでは、いわゆる「プッシュトゥトーク（ＰＴＴ）」サービスが実用上有利である。この種のＰＴＴサービスには複数の無線通信機器が参加し、これらの無線通信機器によって特定のＰＴＴグループが形成される。ここではそのつど、参加している複数の無線通信機器のうち同時点で１つに対してのみ、ＰＴＴサービスに参加している他の無線通信機器へ有効データとりわけ音声メッセージを送信ないしは伝送するための送信権限が割り当てられる。ここでは無線通信機器のユーザは、該ユーザの無線通信機器に設けられた特別なＰＴＴキーを押してネットワーク側の担当のＰＴＴサーバに対して送信権限を能動的に要求することにより、送信権限の割り当てを受ける。このユーザが、ＰＴＴサービスに参加している他のユーザより先に最初に、無線通信機器にあるＰＴＴキーを押すと、参加している他の無線通信機器へ音声メッセージまたは別の有効データを送信するための送信権限ないしは伝送権限が当該ユーザに対して、ＰＴＴサーバ側で優先的に付与される。このユーザがＰＴＴキーを押し続ける限り、該ユーザに対してのみＰＴＴサーバから送信権限が割り当てられ、参加している他の無線通信機器のユーザに対しては伝送手段が阻止される。ここでは音声データないしは有効データは、送信者の話し中にすでに、ＰＴＴグループの該送信者の無線通信機器から受信側の無線通信機器へほぼリアルタイムで、とりわけ無線ネットワーク内の担当のＰＴＴサーバを介して分配される（ストリーミング）。ここではとりわけ、ＰＴＴサーバによって、その時点で権限付与されている送信者に対してのみ伝送が許可される最大権限付与期間が設定される。その時点で送信権限付与されている無線通信機器の音声データまたは別の有効データが伝送される間、同一のＰＴＴグループに参加している他の無線通信機器は、この送信権限付与された無線通信機器の伝送された音声メッセージまたは有効メッセージを受信することしかできず、それ自体がＰＴＴサーバを介して自身の音声メッセージを送信ないしは配送することはできない。その時点で送信権限を有するユーザが無線通信機器のＰＴＴキーを離すかないしは開放した場合に初めて、該ユーザは排他的な送信権限を放棄する。その後、この送信権限はＰＴＴサーバによって、有利には次に無線通信機器のＰＴＴキーを押したユーザに所属する無線通信機器に対して、改めて付与される。換言するとこのことは、その時点で送信権限付与されている無線通信機器によって音声メッセージが伝送される際には、ＰＴＴサービスに参加している他の無線通信機器はこの音声メッセージを聴くことしかできず、この送信側の無線通信機器のユーザを中断することはできないことを意味する。
【０００３】
このようにしてＰＴＴサービスでは、各ＰＴＴサービスに参加している無線通信機器のグループのうちでそれぞれ１つの無線通信機器のみが、これらの無線通信機器への音声メッセージまたは別の有効データを同時に、いわゆる半二重（「Half Duplex」）方式にしたがって送信することができ、後者の無線通信機器によって中断されることはない。有利には、特定のＰＴＴサービスのその時点で送信権限付与されているユーザは、とりわけ無線通信機器の特別なＰＴＴキーを押すと、該ＰＴＴサービスのメンバーである１つまたは複数の受信側の無線通信機器へ音声メッセージまたは有効メッセージを、同時にかつほぼリアルタイムで伝送することができる。その後、ＰＴＴサービスに参加している１つまたは複数の受信側の無線通信機器の操作者は、その時点で送信権限付与されている無線通信機器のＰＴＴキーが離された後、相応に応答を伝送できる可能性を得る。こうするためにはここでも、応答しようとしている無線通信機器のうちその時点で１つだけに対して、その時点で担当のＰＴＴサーバによって送信権限が割り当てられ、ＰＴＴグループに参加している他のすべての無線通信機器はこの応答メッセージを受信することしかできず、これらの無線通信機器の応答送信のための伝送は阻止される。同一のＰＴＴグループに所属しており音声メッセージまたは有効データを送信したい無線通信機器それぞれに対しては、ネットワーク側で担当のＰＴＴサーバへの要求に基づいて相応に、該ＰＴＴサーバによって送信権限が割り当てられ、ＰＴＴグループに参加している他の無線通信機器に対しては受信権限のみが付与される。目的に適っているのはとりわけ、ＰＴＴグループの受信側の各無線通信機器のユーザが、その時点で送信権限付与されている無線通信機器の権限付与期間中にも、ＰＴＴサーバへ音声メッセージまたは有効データを送信できるが、ＰＴＴサーバはその際にも転送交換をブロックし、一時記憶を行うようにすることである。その時点で送信権限付与されている無線通信機器の伝送終了後、またはその時点で送信権限付与されている無線通信機器の最大許容権限付与期間の経過後に初めて、送信権限の付与は、とりわけＰＴＴグループの他のすべてのメンバーより前にＰＴＴキーを次に押したユーザに所属する無線通信機器の、担当のＰＴＴサーバによって一時記憶された音声メッセージまたはその時点の音声メッセージが転送交換されるように、該担当のＰＴＴサーバによって制御される。このように、ＰＴＴサービスはユーザ側から見ると、古典的なＣＢ無線の周知の「ウォーキートーキー」サービスに似ている。しかし、この「ウォーキートーキー」サービスと異なってここでは、その時点で送信権限付与されている無線通信機器は、該無線通信機器から遠く離れており同一のＰＴＴサービスに登録している無線通信機器に対しても、その時点の無線通信システムの無線ネットワークを介して応答することができる。とりわけ、無線通信システムの相互に異なる無線セルにおいて、その時点のＰＴＴサービスにログオンされている無線通信機器が参加することができる。
【０００４】
目的に適っているのは、送信権の最大許容権限付与期間を、ＰＴＴサーバによって時間的上限に設定できることである。その際には、その時点で送信権限付与されている無線通信機器のユーザはＰＴＴキーをさらに押し続けても、この最大許容時間上限までしか音声メッセージまたは有効メッセージを、参加している他の無線通信機器へ伝送することができない。さらに各無線通信機器は、場合によっては複数のＰＴＴサービスに同時に参加することができる。
【０００５】
現在の無線通信システムではとりわけ、このようなＰＴＴサービスをパケット交換（Packet Switched）によって具現化するのが望まれる。無線通信システムでこうするために有利なのは、いわゆるＩＰマルチメディアサブシステム（ＩＭＳ）が使用されるか、または実施に適したシステムが使用されることである。このための相応の活動が、たとえば「オープンモバイルアライアンス（ＯＭＡ）」および「第３世代プロジェクトパートナーシップ（３ＧＰＰ）」等の国際的な標準化委員会で行われている。
【０００６】
伝送指向の電話接続の全二重方式の原理がそれぞれ２つの無線通信機器間において、音声メッセージおよび別の有効データを相互間で同時に、双方向で交換するのに使用されるのに対し、ＰＴＴサービスの半二重方式は、音声メッセージまたは別の有効メッセージをＰＴＴサービスのＰＴＴグループの個々の無線通信機器が一時的に、該ＰＴＴグループの他のすべてのメンバーへ同時に送信するのを単方向にのみ支援する。各ＰＴＴグループの１つのメンバーが、音声通知を該ＰＴＴグループの他のすべてのメンバーへ送信したい場合、たとえば特別なＰＴＴキーを操作した後にこのことを自発的に行う。このようにして、実際に音声メッセージがＰＴＴグループ内で伝送される場合のみ、無線リソースおよび無線ネットワークリソースが、相応なコスト発生で使用される。
【０００７】
ＰＴＴサービスの典型的なアプリケーション事例はたとえば、ロジスティック企業の組織中央部が時折、貨物自動車運転手のうち１つまたは複数と連絡を取って新たな指示を送りたい場合である。逆に、各貨物自動車運転者が時折、短い音声メッセージまたは応答を組織中央部へ返信することが望まれる。このような時折の音声メッセージ伝送を可能にするため、業務時間中に組織中央部と各貨物自動車運転者との間でＰＴＴセッションが継続的に維持される。参加している貨物自動車運転者のうち１人または組織中央部が音声通知を、このＰＴＴグループに参加している他のメンバーへ送りたい場合、たとえばＰＴＴキーの操作後に自発的に行う。このようにして、その時点で送信権限付与された無線通信機器から実際に音声メッセージまたは有効データが伝送される場合のみ、無線リソースおよび無線ネットワーク内の容量が占有される。一般的な言葉で表現するとＰＴＴセッションは、時間的に時折、その時点で特定の伝送方向に音声メッセージまたは有効データが伝送される場合に目的に適っている。それに対してこの場合、その時点で存在するＰＴＴグループのうちその時点で伝送権限が付与されている無線通信機器と他のすべての受信側の無線通信機器との間で、そのつど個々の電話接続を形成するのは面倒であり、かつ時間を要する。このように常に形成される電話接続は過度に高価であり、無線ネットワーク内で、とりわけ参加している無線通信機器のエアインタフェース上で、過度に多くの伝送容量を占有してしまう。
【０００８】
それに対して、個々の音声メッセージを、その時点で存在するＰＴＴグループのうち各無線通信機器から他のすべての無線通信機器へ単方向に伝送するだけでなく、参加している少なくとも２つの無線通信機器間で相互間のディスカッションないしは通話を同時に双方向に行うのが望まれる場合、半二重伝送方式に関連するＰＴＴセッションの特性がむしろ不利になる。というのも、無線通信機器によってＰＴＴグループの他の無線通信機器へ音声メッセージを送信したい者は、伝送時間中、受信側の無線通信機器によって音声メッセージが送出されるのをブロックするためである。すなわち受信者は、発信者が何かを話している最中に、この発信者を遮断するか、ないしは該発信者の話を遮ることはできない。さらに、音声メッセージを送信したい者は実際には、自身の無線通信機器にあるいわゆるＰＴＴキーをまず先に押した場合のみ、発話権限を受け取る。このことが、ディスカッション中ないしは通話プロセス中に不利となる要因であり、参加している無線通信機器間で電話接続の方が比較的適している。
【０００９】
本発明の基礎となる課題は、無線通信機器のユーザに対して、その時点の通信シチュエーションに適合された通信接続を、フレキシブルかつ快適に供給するための構成を提供することである。この課題は、下記の本発明による方法によって解決される。すなわち、無線通信システムの少なくとも１つの第１の参加無線通信機器と少なくとも１つの第２の参加無線通信機器との間で選択可能な通信接続であるパケット指向のＰＴＴセッションと伝送指向の電話接続とで切り換える方法において、これら両通信接続のうち第１の通信接続が、無線通信システムの少なくとも１つの参加無線通信機器および／または無線ネットワークの少なくとも１つの制御ユニットによって選択および形成し、該第１の通信接続に参加している無線通信機器のコントロールおよび／または該第１の通信接続に参加している該無線通信システムの無線ネットワークの制御ユニットのコントロールにより、未だ該第１の通信接続が存在する間に第２の通信接続をアクティベートすることによって、すでに形成されている第１の通信接続から第２の通信接続へ切り換える方法によって解決される。
【００１０】
未だ第１の通信接続が存在する間に第２の通信接続をアクティベートすることにより、両通信接続を十分に継ぎ目なしで切り換えることができる。その時点で参加している無線通信機器の操作者は目下の通信シチュエーションに応じて、両通信接続形式のうちでシチュエーションにより有利な通信接続形式を選択し、この通信接続形式に切り換えることができる。その時点で存在する第１の通信接続中にすでに、第２の通信接続のアクティベートを開始することにより、各無線通信機器のユーザに対して、第１の通信接続から第２の通信接続へ十分にシームレスに移行することができる。詳細には、少なくとも１つの第１の無線通信機器と少なくとも１つの第２の無線通信機器との間にすでに存在するパケット指向のＰＴＴセッションから、これら参加している無線通信機器間の伝送指向の電話接続へ、未だＰＴＴセッションないしはＰＴＴフェーズ中に十分に継ぎ目なしで切り換えることができる。その逆に、未だ伝送指向の電話接続が存在している間にすでに、要望されたＰＴＴセッションをアクティベートすることにより、形成された既存の伝送指向の電話接続中に少なくとも１つの第１の無線通信機器と少なくとも１つの第２の無線通信機器との間で、パケット指向のＰＴＴセッションへ十分に継ぎ目なしで切り換えることができる。このようにして、各ユーザがフレキシブルかつ快適に、ユーザのその時点で存在する通信シチュエーションにより特定的に適合する通信接続形式を選択することができる。すなわち各ユーザが、特定の通信シチュエーションにより適している接続形式を選択することができる。このようにして各ユーザは、変更された通信要件に応じて、その時点の通信接続を個別に適合することができる。
【００１１】
有利なのはとりわけ、第１の無線通信機器から第２の無線通信機器へ、すでに形成されている第１の通信接続を介して、少なくとも１つの制御信号が伝送され、この制御信号によって第２の無線通信機器に対し、すでに形成された第１の通信接続から第２の通信接続へ切り換えたいという第１の無線通信機器の要望が通知される構成である。付加的に、またはこのことと無関係に、すでに形成されている第１の通信接続の第１の無線通信機器および／または第２の無線通信機器から、形成されている該第１の通信接続を担当する制御ユニットへ少なくとも１つの制御信号を伝送し、該制御信号によって制御ユニットに対し、第１の通信接続から第２の通信接続へ切り換えたいという第１の無線通信機器および／または第２の無線通信機器の要望が通知されるようにするのが目的に適っている。付加的に、またはこのことと無関係に、すでに形成された第１の通信接続の第１の無線通信機器および／または第２の無線通信機器から、形成すべき第２の通信接続を担当する制御ユニットへ少なくとも１つの制御信号を伝送し、該制御信号によって制御ユニットに対し、第１の無線通信機器および／または第２の無線通信機器が第１の通信接続から第２の通信接続へ切り換えたいという要望が通知されるようにするのが有利である。場合によっては、すでに形成されている第１の通信接続の制御ユニットから、第１の無線通信機器および／または第２の無線通信機器の切換の要望に関する制御信号を、第２の通信接続のアクティベートおよび形成を担当する制御ユニットへ伝送するのも目的に適っている。
【００１２】
有利には前記のような制御信号に、第１の通信接続に参加し切換要望の送信先である無線通信機器の１つまたは複数のアドレスパラメータ、および／または、該第１の通信接続に参加し切換要望の送信元である無線通信機器の１つまたは複数のアドレスパラメータ、および／または、形成される第２の通信接続に対してすでに形成された第１の通信接続を識別するための少なくとも１つの識別パラメータを挿入する。制御信号中の識別パラメータに基づいて、すでに形成された第１の通信接続が、これから形成すべき第２の通信接続に対して対応づけられ、すでに形成された第１の通信接続と要望された第２の通信接続との間で一義的な結合が行われる。
【００１３】
このようにして、両通信接続間で関連づけないしは結合が実施され、これによって相互間の一義的な対応付けないしは関連づけが可能になる。ここでは識別パラメータは、結合パラメータないしは連結パラメータとして、すでに形成されている第１の通信接続、すなわち、第１の通信接続に参加している無線通信機器のうち１つの無線通信機器のユーザの切換要望に基づいて新規の第２の通信接続と交代しなければならない該第１の通信接続を表す。このようにしてとりわけ、切換要望の送信先である各無線通信機器および／または新規の第２の通信接続を担当する制御ユニットに対して、すでに存在する第１の通信接続が、その時点で切り換えられる第２の通信接続に対して関係性を有することを指示できるようになる。このことはたとえば、２つの参加している無線通信機器間でＰＴＴサービスから電話接続へ切り換えると同時に、参加している該無線通信機器のうち１つにおいて、該ＰＴＴサービスに未参加の第３の無線通信機器から電話呼び出しが入力される場合に有利である。その際にはこの識別パラメータによって、該当する無線通信機器に対し、先行のＰＴＴセッションに対して対応づけられている電話接続が一義的に指示される。このようにして、一種のフィルタリング機能が開始され、これによって各無線通信機器は、並行して入力された電話呼び出しのうちどれが実際に、先行して形成されていたＰＴＴセッションに対して関連性を有するかを見つけ出すかないしは区別する。これと同様に、少なくとも２つの無線通信機器間ですでに形成された電話接続とこれらの無線通信機器が参加する特定のＰＴＴセッションとの間の結合ないしは関係は、電話接続からＰＴＴセッションへ切り換えられる際に、電話接続の識別パラメータを引き渡すことによって、第２の通信接続を担当する制御ユニットに対して通知され、および／または、切換要望の送信先である第１の通信接続の無線通信機器および／または切換要望の送信元である第１の通信接続の無線通信機器に対して通知される。その時点で引き渡され第１の通信接続を表す識別パラメータにより、特に有利かつ快適に、要望された新規の第２の通信接続への自動的な切換を行うことができ、その際には、切換要望の送信先である無線通信機器のユーザ自体が能動的に介入する必要はない。
【００１４】
第１の通信接続に参加している別の無線通信機器側の無線通信機器側の切換要望の送信先である無線通信機器へ前記識別パラメータを伝送することが、目的に適っている。無線ネットワーク内の制御装置によって切換がアクティベートおよびコントロールされる場合、第１の通信接続に参加しておりその時点で第２の通信接続への切換に該当するすべての無線通信機器へ識別パラメータを送信するのが目的に適っている。
【００１５】
本発明はまた、本発明による方法を実施するための制御ユニットを備えた無線通信機器にも関する。
【００１６】
本発明はまた、本発明による方法を実施するための制御ユニットを備えたネットワーク構成要素にも関する。
【００１７】
また本発明は、無線通信システムの少なくとも１つの第１の参加無線通信機器と少なくとも１つの第２の参加無線通信機器との間の選択可能な通信接続であるパケット指向のＰＴＴセッションを選択および準備するための第１のグループのネットワーク構成要素と、伝送指向の電話接続を選択および形成するための第２のグループのネットワーク構成要素とを備えた無線通信システムに関する。ここでは、両グループのネットワーク構成要素はそれぞれ、本発明による方法を実施するための制御手段を有する。
【００１８】
従属請求項に、本発明の別の実施形態が記載されている。
【００１９】
以下で本発明および本発明の発展形態を、図面に基づいて詳細に説明する。
【００２０】
図面
図１  少なくとも２つの無線通信機器間でパケット指向のＰＴＴセッションを形成するための無線通信システムのネットワークアーキテクチャの主要な構成要素を示す概略図である。このＰＴＴセッションから、本発明による方法の種々の変形形態にしたがって、２つの参加無線通信機器間で伝送指向の電話接続に切り換えられる。
【００２１】
図２  両無線通信機器間でパケット指向の通信接続と同時に、すなわちすでに形成されているパケット指向の通信接続に並行して伝送指向の通信接続を、本発明による方法の種々の実施形態にしたがって形成するための、図１のネットワークアーキテクチャにおける付加的なネットワーク構成要素を示す概略図である。
【００２２】
図３  図２の両無線通信機器間でＰＴＴセッションの解消ないしは終了後に存在する、新規の第２の通信接続として要望された伝送指向の電話接続を示す概略図である。
【００２３】
図４，５  すでに形成されているパケット指向のＰＴＴセッションから伝送指向の電話接続への切換を開始するために図１の両無線通信機器の無線インタフェースを介して行われる通信信号および制御信号の交換をそれぞれ示す概略図である。
【００２４】
図６  本発明による方法の別の変形形態を実施するために、図１の無線ネットワークの構成要素と、ＰＴＴセッションから伝送指向の電話接続への切換を要望する無線通信機器との間で使用される情報信号および制御信号の信号フローを示す概略図である。
【００２５】
図７  ２つの参加無線通信機器間でパケット指向のＰＴＴセッションから伝送指向の電話接続へ切り換えるための図１および図２のネットワークアーキテクチャの構成要素を示す概略図である。ここでは本発明による方法の別の変形形態にしたがって、該２つの通信接続形式の切換をＰＴＴサービスの制御ユニットによってコントロールする。
【００２６】
図８  図１および図２の無線ネットワークアーキテクチャのネットワーク構成要素と、本発明の方法の別の変形形態にしたがって行われるその時点までの伝送指向の電話接続からパケット指向のＰＴＴセッションへの切換の要望の発信元である図１の第１の無線通信機器との間の信号フローを示す概略図である。
【００２７】
同じ機能を有する要素および同じ作用を有する要素には、図１〜８においてそれぞれ同一の参照記号が付与されている。
【００２８】
図１は、無線通信システムＦＣの構成部分である、ネットワークアーキテクチャの主要な構成要素を概略的に示している。これによってたとえば、２つの無線通信機器ＵＥ１，ＵＥ２に対して、第１の通信接続形式としてＰＴＴサービスＰＣが提供される。ここでは第１の無線通信機器ＵＥ１は、第１のネットワークオペレータないしはネットワークプロバイダＮＷ０１のネットワーク構成要素、たとえばＰＳＮＷ１，ＩＭＳ１，ＭＳＣ１等のネットワーク構成要素を介して共通のＰＴＴサーバＰＴＴＳ１に接続されており、第２の無線通信機器ＵＥ２は、第２のネットワークオペレータＮＷ０２のネットワーク構成要素ＰＳＮＷ２，ＩＭＳ２，ＭＳＣ２を介して共通のＰＴＴサーバＰＴＴＳ１に接続されている。このＰＴＴサーバＰＴＴＳ１が、両無線通信機器ＵＥ１，ＵＥ２間で行われる音声メッセージおよび／または別の有効メッセージの交換を、公知の「プッシュトゥトーク」原理に相応して制御する。各無線通信機器ＵＥ１ないしはＵＥ２および該無線通信機器に対してネットワーク側で割り当てられた構成要素と各ネットワークオペレータＮＷ０１ないしはＮＷ０２との関連は、図１では点線の分離線ＴＲによって図式化されている。各無線通信機器と該無線通信機器に対してネットワーク側で割り当てられた各ネットワークオペレータのネットワーク構成要素との間の信号伝送接続は、図１では破線で示されており、関連する別個のデータ接続は実線によって示されている。
【００２９】
詳細には第１の無線通信機器ＵＥ１は、いわゆる「無線アクセスネットワーク（Radio Access Network）」を介して、該無線通信機器に対してネットワーク側で割り当てられたプロバイダＮＷ０１の「パケット交換ネットワーク（Packet Switched Network）」ＰＳＮＷ１へのアクセス権を有する。前記無線アクセスネットワークは、図１では図面を見やすくするために省略した。前記のような「パケット交換ネットワーク」は、たとえばＧＰＲＳ（General Packet Radio Service）ネットワークによって形成され、いわゆるＳＧＳＮ（Serving GPRS Support Node）要素すなわちＧＰＲＳネットワークノードＳＧＮＳ１と、いわゆるＧＧＳＮ（Gateway GPRS Support Node）要素ないしはゲートウェイＧＧＳＮ１とを主要な構成要素として有する。第１の無線通信機器ＵＥ１は、制御信号ないしは信号通信信号ＳＬ１１を伝送するための通信接続部ＳＬ１１と、有効データを伝送するための通信接続部ＤＬ１１とを介して、「パケット交換ネットワーク」ＰＳＮＷ１のＳＧＳＮ要素ＳＧＳＮ１に接続される。制御信号は、ＳＧＳＮ要素ＳＧＳＮ１とＧＧＳＮ要素ＧＧＳＮ１との間で信号伝送接続部ＳＬ１２を介して交換され、データはデータ接続部ＤＬ１２を介して交換される。ＧＧＳＮ要素ＧＧＳＮ１を介して信号伝送接続部ＳＬ１３が、いわゆる「ＩＰマルチメディアサブシステム（ＩＭＳ）」ＩＭＳ１のＣＳＣＦ（「Call State Control Funktion」）要素ＣＳＣＦ１が接続されている。このサブシステムは、ＩＰプロトコルにしたがって無線通信機器ＵＥ１とＰＴＴサーバＰＴＴＳ１との間の通信トラフィックをコントロールする無線ネットワーク部分である。ＣＳＣＦ構成要素ＣＳＣＦ１はまた、ＰＴＴサーバＰＴＴＳ１までの信号伝送接続部ＳＬ１５も有する。このようにしてＧＧＳＮ構成要素ＧＧＳＮ１は、ＣＳＣＦ構成要素ＣＳＣＦ１を介して間接的に、ＰＴＴサーバＰＴＴＳ１まで信号伝送接続部を有する。その他にＧＧＳＮ構成要素ＧＧＳＮ１は、ＰＴＴサーバＰＴＴＳ１まで、別個の直接的なデータ接続部ＤＬ１３を有する。
【００３０】
これと同様に、第２の無線通信機器ＵＥ２は信号伝送接続部ＳＬ２１とデータ接続部ＤＬ２１とを介して、プロバイダＮＷ０２のパケット交換ネットワーク部分ＰＳＮＷ２（「Packet Switched Network」）のＳＧＳＮ構成要素ＳＧＳＮ２と通信する。前記ＳＧＳＮ構成要素ＳＧＳＮ２はＧＧＳＮ構成要素ＧＧＳＮ２との間で、専用の接続部ＳＬ２２を介して制御信号を交換し、専用のデータ接続部ＤＬ２２を介してデータ信号を交換する。前記ＧＧＳＮ構成要素ＧＧＳＮ２は、「ＩＰマルチメディアサブシステム」ＩＭＳ２へのゲートウェイすなわちアクセス部を形成する。このＧＧＳＮ構成要素ＧＧＳＮ２を介して、共通のＰＴＴサーバＰＴＴＳ１まで直接的なデータ接続部ＤＬ２３が設けられる。「ＩＰマルチメディアサブシステム」ＩＭＳ２における信号伝送はすべて、「ＩＰマルチメディアサブシステム」ＩＭＳ２の中核的な要素であるＣＳＣＦ構成要素ＣＳＣＦ２を介する。このことを行うために、ＧＧＳＮ構成要素ＧＧＳＮ２はＣＳＣＦ構成要素ＣＳＣＦ構成要素ＣＳＣＦ２まで信号伝送接続部ＳＬ２３を有する。このＣＳＣＦ構成要素ＣＳＣＦ２を介して、信号伝送接続部ＳＬ２５を使用して、共通のＰＴＴサーバＰＴＴＳ１にも応答される。場合によっては、ＣＳＣＦ構成要素ＣＳＣＦ２を使用して別のアプリケーションサーバも制御することができる。
【００３１】
有利には、両無線通信機器ＵＥ１，ＵＥ２と共通のＰＴＴサーバＰＴＴＳ１と、これらの間に接続されたネットワーク構成要素ＳＧＳＮ１，ＧＧＳＮ１，ＣＳＣＦ１，ＣＳＣＦ２，ＧＧＳＮ２，ＳＧＳＮ２との間で信号伝送を行うために、いわゆるＳＩＰプロトコル（Session Initiation Protocol）が使用される。
【００３２】
たとえば、第１の無線通信機器のユーザが該第１の無線通信機器のＰＴＴキーを最初に作動した場合、該ユーザに対してＰＴＴサーバＰＴＴＳ１は、最大権限付与期間にわたって送信権限を割り当てる。この最大権限付与期間中は、ユーザは音声メッセージまたは別の有効データを、共通のＰＴＴサーバＰＴＴＳ１の介在的な交換によって、第２の無線通信機器ＵＥ２へ伝達することができる。伝送権限ないしは送信権限が第１の無線通信機器ＵＥ１によって占有される間、第２の無線通信機器ＵＥ２の送信権限はＰＴＴサーバＰＴＴＳ１によって取り上げられ、該第２の無線通信機器ＵＥ２はメッセージを受信することだけできる。音声データまたは有効データの伝送が第１の無線通信機器ＵＥ１によって終了された後、ＰＴＴサーバＰＴＴＳ１は第１の無線通信機器ＵＥ１から送信権限を取り上げる。音声データまたは有効データの伝送を終了するためには、とりわけ該第１の無線通信機器ＵＥ１のＰＴＴキーを開放する。このことは、第１の無線通信機器ＵＥ１は未だ、音声メッセージまたは別の有効メッセージをパケットデータとしてＰＴＴサーバＰＴＴＳ１へ伝送できるが、ＰＴＴサーバＰＴＴＳ１は、これらのパケットデータが第２無線通信機器ＵＥ２へ転送されるのをブロックし、これらのパケットデータを破棄することを意味する。択一的にこれらのパケットデータは、ＰＴＴサーバＰＴＴＳ１が第１の無線通信機器に対して、該第１の無線通信機器のユーザの新規の要求に応じて送信権限を再び割り当てるまで一時記憶することができる。こうするための前提条件は、第２の無線通信機器ＵＥ２のユーザが先に送信権限を取得せず、未だ発話しないことである。
【００３３】
全般的に見ると、各無線通信機器の操作者は、参加している別の無線通信機器へメッセージをそれぞれに伝送するために、該無線通信機器に設けられたＰＴＴキーを押すことにより、ＰＴＴサーバに対して排他的な送信権限を要求することができる。このようにして、ＰＴＴサーバはこの問い合わせ側の無線通信機器に対して、参加している別の無線通信機器の中でより早期の時間的なランクで送信権限の問い合わせをしたものがいない場合、排他的な送信権限を設定可能な権限付与期間にわたって付与する。こうすることにより、ＰＴＴサービスに参加している無線通信機器のうち、同時間にわたってその都度１つに対してのみ、ＰＴＴサーバによって排他的な送信権が割り当てられる。ここではＰＴＴサーバは、送信権限付与された無線通信機器のメッセージの転送交換をコントロールする。すなわち、その時点で伝送権限が付与された無線通信機器に対してのみ、メッセージの送信が共通のＰＴＴサーバの導通切換によって可能にされ、ＰＴＴサービスに参加している１つまたは複数の別の無線通信機器はこのメッセージを受信することだけができるが、その際には後者の無線通信機器側では逆方向に音声メッセージを、参加している無線通信機器へ伝送することはできない。しかしこのようなパケットデータ伝送によって、共通のＰＴＴサーバへメッセージを伝送することはできる。その際には、メッセージが到着した場合にはこのメッセージは破棄されるか、または、その時点で送信権限付与されている無線通信機器から送信権限がＰＴＴサーバ側から取り上げられるまで一時記憶される。したがって、その時点で送信権限が付与されている無線通信機器のメッセージが、参加している別の無線通信機器へ一方向に伝送される間は、ＰＴＴサーバはこの別の無線通信機器からのメッセージを逆方向に交換しない。その時点で伝送権限が付与されている無線通信機器の操作者が話している間は、参加している１つまたは複数の他の無線通信機器のユーザは聴くことができるだけであり、伝送権限が付与されている無線通信機器の話しているユーザを、該ユーザの音声メッセージの送信中に中断することはできない。
【００３４】
場合によっては、両プロバイダＮＷ０１，ＮＷ０２の無線ネットワーク部分に対して共通に割り当てられるＰＴＴサーバＰＴＴＳ１の代わりに、両プロバイダＮＷ０１，ＮＷ０２の各無線ネットワーク部分に対して、別個の専用のＰＴＴサーバをそれぞれ設けることができる。ここで詳細には、第１のプロバイダＮＷ０１の「ＩＰマルチメディアサブシステム」ＩＭＳ１および「パケット交換ネットワーク」ＰＳＮＷ１に対してはＰＴＴサーバＰＴＴＳ１のみが割り当てられ、第２のプロバイダＮＷ０２の「ＩＰマルチメディアサブシステム」ＩＭＳ２および「パケット交換ネットワーク」ＰＳＮＷ２に対しては専用のＰＴＴサーバＰＴＴＳ２が固有に割り当てられる。図１において、付加的に前記ＰＴＴサーバＰＴＴＳ２が一点鎖線で示されている。このＰＴＴサーバＰＴＴＳ２は、ＣＳＣＦ構成要素ＣＳＣＦ２まで信号伝送接続部ＳＬ２５＊を有し、ＧＧＳＮ２構成要素ＧＧＳＮ２までデータ接続部ＤＬ２３＊を有する。このことは、ＰＴＴサーバＰＴＴＳ１の場合の通信接続図と同様である。両ＰＴＴサーバＰＴＴＳ１，ＰＴＴＳ２側では、相互間の共通の通信接続部ＫＶ１２が設けられており、これによってデータおよび／または制御信号が伝送される。第１のＰＴＴサーバＰＴＴＳ１までの接続部ＤＬ２３およびＳＬ２５は、目的に応じて省略することができる。有利には、ＰＴＴセッションをスタートないしは開始した無線通信機器を担当するＰＴＴサーバが、該ＰＴＴセッションのコントロール権を有する。
【００３５】
ここで図１の実施例では、ＰＴＴセッションＰＣは無線通信機器ＵＥ１によってトリガされたので、該無線通信機器ＵＥ１のプロバイダＮＷ０１によってネットワーク側で固有に割り当てられたＰＴＴサーバＰＴＴＳ１が、ＰＴＴセッションＰＣの経過のコントロールを担当する。その際には、第２のＰＴＴサーバＰＴＴＳ２は受動的な構成要素となり、制御側の第１のＰＴＴサーバＰＴＴＳ１から送信された音声メッセージまたは有効データを第２の無線通信機器ＵＥ２へ単に転送するためだけに使用される。
【００３６】
もちろん、受信側で割り当てられた第２のＰＴＴサーバＰＴＴＳ２が送信側の第１のＰＴＴサーバＰＴＴＳ１の代わりに、第２の無線通信機器ＵＥ２へのメッセージ伝送を制御ないしはコーディネートすることもできる。こうするためには、第１のＰＴＴサーバＰＴＴＳ１が通信接続部ＫＶ１２を介して、第１の無線通信機器ＵＥ１から送信された音声メッセージを第２のＰＴＴサーバＰＴＴＳ２へ直接通し、第２のＰＴＴサーバＰＴＴＳ２はこの音声メッセージの配達を能動的に制御ないしはコントロールする。
【００３７】
ここで、両無線通信機器ＵＥ１，ＵＥ２のユーザが個々に音声メッセージを相互に時折伝送するだけでなく、相互的かつ連続的な通話またはディスカッションを相互的に行いたい場合が生じることがある。このように変更された通信上の要求に対しては、通常の電話接続がより適しているので、すでに形成されているＰＴＴセッションＰＣ中にすでに伝送指向の電話接続のアクティベートを、ＰＴＴサービスＰＣに参加している無線通信機器ＵＥ１，ＵＥ２間で開始する。すなわち全般的に見ると、参加している２つ以上の無線通信機器間でＰＴＴセッションが実施されている間に、参加しているこれらの無線通信機器間で通常の電話接続に切り換えられる。ここで、ＰＴＴセッションは有利には、いわゆる「パケット交換領域（Packet Switched Domain）」すなわちパケット指向のネットワーク部分において、「ＩＰマルチメディアサブシステム」を介して実施されるのに対し、通常の電話接続はいわゆる「公衆交換電話網領域（回線交換（circuit switched）」すなわち伝送指向のネットワーク部分において実施される。
【００３８】
共通のＰＴＴサーバＰＴＴＳ１を有する図１のこの実施例では、たとえば第１の無線通信機器ＵＥ１が、すでに形成されたＰＴＴセッションＰＣすなわちすでに存在するＰＴＴセッションＰＣから、第２の無線通信機器ＵＥ２との伝送指向の電話接続ＴＣへの切換を開始する。こうするためには、該第１の無線通信機器ＵＥ１は切換要望を、ＰＴＴセッションに参加している第２の無線通信機器ＵＥ２に対して制御信号ないしは通知信号ＩＳ１によって伝達する。この制御信号ＩＳ１で第１の無線通信機器ＵＥ１は、プロバイダＮＷ０１をネットワーク側で担当する交換ユニットＭＳＣ１に対し、伝送指向のネットワーク部分において、有利には固有の電話番号ＰＮ１と、とりわけ被呼側の第２の無線通信機器ＵＥ２の電話番号ＰＮ２とを送信する。これに応答して交換ユニットＭＳＣ１は、電話番号ＰＮ１，ＰＮ２を有する相応の制御信号ＩＳ１＊を、第２の無線通信機器ＵＥ２が割り当てられた第２のプロバイダＮＷ０２の伝送指向のネットワーク部分内にある受信側の担当の交換ユニットＭＳＮ２へ伝送する。交換ユニットＭＳＣ２は問い合わせ信号ＩＳ１＊＊によって、第２の無線通信機器ＵＥ２のユーザに対し、第１の無線通信機器の切換要望を承諾するか否かを問い合わせる。これを第２の無線通信機器のユーザは、応答信号ＲＩＳ１によって確認応答し、この応答信号ＲＩＳ１は交換ユニットＭＳＣ１，ＭＳＣ２から問い合わせ側の無線通信機器ＵＥ１へ伝送される。第２の無線通信機器ＵＥ２側の切換要望の肯定確認があって初めて、伝送指向の電話接続は双方向に、交換ユニットＭＳＣ１，ＭＳＣ２によって両無線通信機器間で形成される。したがって第１の無線通信機器ＵＥ１は、伝送指向の電話接続を担当するネットワーク構成要素によって、第２の無線通信機器ＵＥ２との通常の電話接続の形成を開始する。図１では図面を全体的に見やすくするため、無線ネットワークの伝送指向の部分の構成要素を代表して交換ユニットのみ、とりわけいわゆる「移動交換センタ（Mobile Switching Center）」ＭＳＣ１，ＭＳＣ２が主要な構成要素として示されている。ここでは、交換ユニットＭＳＣ１は第１の無線通信機器に対して割り当てられており、第２の交換ユニットＭＳＣ２は第２の無線通信機器ＵＥ２をオペレートする。
【００３９】
場合によっては、送信側および／または受信側で割り当てられた交換ユニットＭＳＣ１，ＭＳＣ２は、第１の無線通信機器ＵＥ１の切換要望の送信先である第２の無線通信機器ＵＥ２のユーザの応答なしで直ちに、自動的に双方向に伝送指向の電話接続を形成することもできる。換言するとこのことは、伝送指向の電話接続へ切り換える要望を有する無線通信機器は、問い合わせ信号ＩＳ１＊＊を第２の無線通信機器ＵＥ２へ送信する必要なく、交換ユニットＭＳＣ１，ＭＳＣ２によって第２の無線通信機器ＵＥ２との間に伝送指向の電話接続を直ちに形成できることを意味する。アクティベートするためには、第１の無線通信機器ＵＥ１が制御信号ＩＳ１を、担当の交換ユニットＭＳＣ１へ送信するだけで十分である。この担当の交換ユニットＭＳＣ１はこれに基づいて、伝送指向の電話接続を形成するための後続のすべてのステップを実施する。このことが可能であるのは、交換ユニットＭＳＣ１へ第２の無線通信機器ＵＥ２の電話番号ＰＮ２が制御信号ＩＳ１で一緒に伝送されるからである。
【００４０】
両無線通信機器ＵＥ１，ＵＥ２間でいわゆるＳＩＰセッション（Session Initiation Protocol）が、ネットワーク側で担当する「ＩＰマルチメディアサブシステム」ＩＭＳ１，ＩＭＳ２を介してすでに形成されている場合、第１の無線通信機器ＵＥ１はすでに、第２の無線通信機器ＵＥ２のＳＩＰアドレスを把握しているので、制御信号ないしは通知信号ＩＳ２を、ＰＴＴサーバＰＴＴＳ１が介挿されて接続されていない直接的な伝送経路でＳＩＰプロトコルを使用して、構成要素ＣＳＣＦ１，ＣＳＣＦ２を介して第２の無線通信機器ＵＥ２へ伝送することができる。場合によっては、いわゆる「ＴｅｌＵＲＩ」がネットワーク側に格納されている場合、切換を要望する無線通信機器ＵＥ１は、該無線通信機器ＵＥ１において既知である第２の無線通信機器ＵＥ２の電話番号からも「ＴｅｌＵＲＩ」をＳＩＰアドレスとして形成することができる。第２の参加者に対するこのようなＳＩＰアドレス形成はとりわけ、第２の無線通信機器の既知の電話番号からネットワーク構成要素によって、たとえば共通のＰＴＴサーバＰＴＴＳ１によって行われる。有利には、第１の無線通信機器ＵＥ１の操作者の切換要望を有する制御信号を、ＰＴＴサーバＰＴＴＳ１を介して第２の無線通信機器ＵＥ２へ伝送し、該操作者が制御信号を把握するようにすることもできる。この通知信号は、図１では付加的に一点鎖線で示されており、参照番号ＩＳ２＊が付与されている。ここで、第２の無線通信機器ＵＥ２の操作者が第１の無線通信機器ＵＥ１の操作者の切換要望を承諾する場合、該第１の無線通信機器ＵＥ１の操作者へ確認応答信号ＲＩＳ１を送信する。ここでは確認応答信号ＲＩＳ２の生成は、第２の無線通信機器のユーザによって能動的に行われる。また、第２の無線通信機器ＵＥ２が確認応答信号ＲＩＳ２を自動的に（ユーザへの問い合わせなしで）生成し、問い合わせ側の第１の無線通信機器ＵＥ１へ伝送することも目的に適っている。
【００４１】
場合によっては、このことに対して付加的または無関係に、次のことも目的に適っている。すなわち、第１の無線通信機器ＵＥ１がＰＴＴサーバＰＴＴＳ１に対して、切換要望に関する制御信号ないしは通知信号を送信し、ＰＴＴサーバＰＴＴＳ１は通知信号を、「ＩＰマルチメディアサブシステム」ＩＭＳ１のＣＳＣＦ構成要素ＣＳＣＦ１の介在的な交換によって、無線通信システムの伝送指向のネットワーク部分に所属する交換ユニットＭＳＣ１へ転送することも目的に適っている。図１では、ＰＴＴサーバＰＴＴＳ１から信号伝送接続部ＬＳＭ１１を介して交換ユニットＭＳＣ１へ伝送される通知信号は一点鎖線の矢印で示されており、これはＳＭ１によって示されている。信号伝送接続部ＬＳＭ１１は、ここでも一点鎖線によって示されている。一般的に表現すると、形成されているＰＴＴセッションＰＣを担当する制御ユニットから第１の無線通信機器の切換要望に関する通知信号が、伝送指向の電話接続ＴＣのアクティベートおよび形成を担当するネットワーク側の制御ユニットへ伝送される。とりわけここでは、ＰＴＴセッション用の制御ユニットはＰＴＴサーバによって構成される。伝送指向の電話接続用の制御ユニットとして使用されるのは、とりわけＭＳＣ交換ユニットである。
【００４２】
制御信号ないしは通知信号ＩＳ１，ＩＳ２，ＩＳ２＊，ＳＭ１で、電話番号ＰＮ１，ＰＮ２の他に付加的に、アクティブなＰＴＴセッションを一意に識別する識別パラメータＰ１も搬送することができる。これによって、新規に形成される伝送指向の電話接続ＴＣが既存のＰＴＴセッションＰＣに対して一義的に割り当てられる。移行パラメータＰＮ１，ＰＮ２，Ｐ１は図１ではそれぞれ、制御信号ＩＳ１，ＩＳ２，ＩＳ２＊，ＳＭ１の後ろに括弧内に置かれている。ここで付加される識別パラメータＰ１によって初めて、すでに形成されている特定のＰＴＴセッションＰＣと、要望された電話接続ＴＣとの間（または逆）で一義的な結合、カップリングないしは関連づけが行われ、通信接続ＰＣ，ＴＣのこの対が、到着した別の呼び出しおよび／または別のＰＴＴセッションと区別できるようになる。とりわけ、相互に所属するＰＴＴセッションと電話接続との形成されたこの対は、別の通常の電話通話および／またはＰＴＴセッションに対して抽出すなわち識別できるようになり、このことは重要である。
【００４３】
図２に、両無線通信機器ＵＥ１，ＵＥ２間に付加的に形成された伝送指向の電話接続ＴＣが示されている。この伝送指向の通信接続ＴＣは、ここではパラレルに存在する。すなわち、すでに先行して形成されているかないしは既存のＰＴＴセッションＰＣと同時に存在する。このＰＴＴセッションＰＣから、通常の電話接続ＴＣへの移行が開始された。ここで図２では、パケット指向のＰＴＴセッションＰＣを選択および形成するためのネットワーク構成要素のグループはＧ１によって示されており、伝送指向の電話接続ＴＣを選択および形成するためのネットワーク構成要素のグループはＧ２によって示されている。形成された電話接続ＴＣは、第１の無線通信機器ＵＥ１を出発点として、ネットワーク側で割り当てられた交換ユニットＭＳＣ１まで、信号伝送接続部ＳＩ１とデータ接続部Ｄ１とを包括する。この交換ユニットは、無線ネットワークの伝送指向の部分ＣＳＮＷ１の他の構成要素の代表として図示されており、信号伝送接続部ＳＩ１２およびデータ接続部Ｄ１２を介して交換ユニットＭＳＣ２に結合されている。この交換ユニットＭＳＣ２もまた、第２の無線通信機器ＵＥ２に割り当てられた無線ネットワークの伝送指向の部分ＣＳＮＷ２の他の構成要素の代表であり、相応の信号伝送接続部ＳＩ２およびデータ接続部Ｄ２を介して第２の無線通信機器ＵＥ２に接続されている。
【００４４】
次のステップにおいて、伝送指向の電話接続ＴＣのアクティベート後にすでに、または場合によっては伝送指向の電話接続ＴＣの形成後に初めて、ＰＴＴセッションＰＣが解消される。この状態が図３に示されている。ここでは両無線通信機器ＵＥ１，ＵＥ２は、パケット指向のネットワーク部分の構成要素とも、ＰＴＴサーバＰＴＴＳ１とも、もはや通信接続を有さない。
【００４５】
もちろん、パケット指向のＰＴＴセッションＰＣから伝送指向の電話接続ＴＣへの切換を、第２の無線通信機器ＵＥ２によって相応に開始および実行することもできる。
【００４６】
ＰＴＴサービスから伝送指向の電話接続への通信接続形式の切換（またはその逆の切換）を行うために、そのつど制御信号ないしは通知信号を生成できるようにするために、各無線通信機器ＵＥ１ないしはＵＥ２は制御ユニットＳＴ１ないしはＳＴ２を有する。有利には、各無線通信機器のユーザに対して関連の選択手順が、各無線通信機器の操作メニューで提供される。これによって、該ユーザの無線通信機器の制御ユニットに対して応答することができる。
【００４７】
一般化すると、パケット指向のＰＴＴセッションＰＣから伝送指向の電話接続ＴＣへの切換を行うためには、ＰＴＴセッションに参加している少なくとも１つの無線通信機器の１つまたは複数のアドレスパラメータおよび／または少なくとも１つのＰＴＴセッション識別パラメータが少なくとも１つの制御信号によって、伝送指向の電話接続を担当する制御ユニットへ伝達される。このようなアドレスパラメータはとりわけ、その時点で参加している無線通信機器の電話番号ＰＮ１，ＰＮ２によって形成される。ここで図１の実施例では、ＰＴＴセッションＰＣの制御ユニットであるＰＴＴサーバＰＴＴＳ１から、制御信号ＳＭ１で信号伝送接続部ＬＳＭ１１を介して、たとえば両無線通信機器ＵＥ１，ＵＥ２の電話番号ＰＮ１，ＰＮ２および識別パラメータＰ１が制御ユニットＭＳＣ１へ伝送される。
【００４８】
その逆に、両無線通信機器ＵＥ１，ＵＥ２間にすでに伝送指向の電話接続ＴＣが形成されている場合、ここで両無線通信機器ＵＥ１，ＵＥ２のうち１つによってＰＴＴセッションＰＣへの切換が要望されると、ここでも同様に伝送指向の電話接続ＴＣに参加している無線通信機器ＵＥ１，ＵＥ２のうち少なくとも１つの１つまたは複数のアドレスパラメータと、該伝送指向の電話接続の一意の識別子である識別パラメータＴ１とが、少なくとも１つの制御信号によって、パケット指向のＰＴＴセッションＰＣを担当する制御ユニットであるＰＴＴサーバＰＴＴＳ１へ伝達される。このような制御信号はとりわけ、伝送指向の電話接続ＴＣを担当する制御ユニットによって生成され、パケット指向のＰＴＴセッションＰＣを担当する制御ユニットへ直接伝送される。図３において付加的に、たとえば第１の無線通信機器ＵＥ１に割り当てられている交換ユニットＭＳＣ１が制御信号ＭＳ１（ＩＰ１，ＩＰ２，Ｔ１）を、信号伝送接続部ＬＭＳ１を介し、「ＩＰマルチメディアサブシステム」ＩＭＳ１内のＣＳＣＦ構成要素ＣＳＣＦ１を介してＰＴＴサーバＰＴＴＳ１へ直接送信することが、一点鎖線で示されている。この制御信号ＭＳ１はとりわけ、伝送指向の電話接続ＴＣに参加している無線通信機器ＵＥ１，ＵＥ２のＩＰアドレスまたはＳＩＰアドレスＩＰ１，ＩＰ２と、すでに形成されている電話接続ＴＣの識別パラメータＴ１とを含む。要望されたパケット指向のＰＴＴサービス接続を形成するための両無線通信機器ＵＥ１，ＵＥ２のアドレスＩＰ１，ＩＰ２は交換ユニットＭＳＣ１において、先行のＰＴＴセッションからすでに既知であるか、または該交換ユニットＭＳＣ１はこのアドレスを、両無線通信機器ＵＥ１，ＵＥ２に対して予め問い合わせ完了している。場合によっては、ＰＴＴセッションへの切換を要望するその時点の無線通信機器がそれ自体から、（ＰＴＴセッション用の）固有のパケット指向のアドレスと、要望された通話相手のパケット指向のアドレスとを伝達するか、またはこれらのアドレスを、該無線通信機器において既知の電話番号から、とりわけＵＲＩ（uniform resource identifier）アドレスの形態で形成する。その際には通話相手のパケット指向のアドレスは、伝送指向の電話接続からパケット指向のＰＴＴセッションへの切換をアクティベートする無線通信機器の要求信号によって問い合わせすることもできる。この問い合わせは場合によっては、ネットワーク側で割り当てられた次のような交換ユニットないしは制御ユニットによって行うことができる。すなわち、電話接続からＰＴＴセッションへの切換を所望する無線通信機器に割り当てられた交換ユニットないしは制御ユニットによって行うことができる。
【００４９】
有利な変形形態によれば、伝送指向の電話接続ＴＣからパケット指向のＰＴＴセッションＰＣへの切換を、伝送指向の電話接続ＴＣを担当する制御ユニットによってコントロールするのに対して択一的に、このような切換を要望する無線通信機器が相応の制御信号をＰＴＴサーバへ直接送信することもできる。図３では第１の無線通信機器ＵＥ１が、アドレスパラメータＩＰ１，ＩＰ２と識別パラメータＴ１とを含む直接的な制御信号ＭＳ１＊を、構成要素ＳＧＳＮ１，ＧＧＳＮ１，ＣＳＣＦ１を介してＰＴＴサーバＰＴＴＳ１へ送信する。アドレスパラメータＩＰ１，ＩＰ２と識別パラメータＴ１とを含む制御信号ＭＳ１＊はここでは、無線通信機器ＵＥ１の制御ユニットＳＴ１によって生成される。すなわち無線通信機器ＵＥ１が、すでに形成されている伝送指向の電話接続ＴＣからパケット指向のＰＴＴセッションＰＣへの切換を完全にコントロールする。場合によっては制御ユニットＳＴ１は、すでに形成されている電話接続ＴＣに関するアドレスパラメータＩＰ２を、第２の無線通信機器ＵＥ２または該第２の無線通信機器ＵＥ２の担当の交換ユニットＭＳＣ２に対して問い合わせる。または、該第２の無線通信機器ＵＥ２において既知であるかまたは該第２の無線通信機器ＵＥ２に伝達された電話番号ＰＮ２から生成することもできる。
【００５０】
この構成に対して択一的には、無線通信機器ＵＥ１の代わりに、有利にはＰＴＴサーバが制御信号ＭＳ１＊にしたがって、すでに形成された伝送指向の電話接続ＴＣからパケット指向のＰＴＴセッションＰＣへの切換を完全にコントロールする。こうするためには、ＰＴＴサーバは制御ユニットＳＶＳを有する（図１参照）。すなわち、第１の無線通信機器ＵＥ１が制御信号ＭＳ１＊を介してＰＴＴサーバＰＴＴＳ１に対し、特定のＰＴＴサービスへ切り換えたいという要望を直接指示する。これに基づいてＰＴＴサーバＰＴＴＳ１は、切換を行うための後続のステップのコントロールを引き継ぐ。
【００５１】
全体的に見ると、形成されている第１の通信接続から第２の通信接続へは、第１の通信接続に参加している少なくとも１つの無線通信機器のコントロールおよび／または第１の通信接続に参加している無線通信システムの無線ネットワークの制御ユニットのコントロールによって、第１の通信接続が未だ存在している間に第２の通信接続をアクティベートすることによって切り換えられる。
【００５２】
このようにして、
１．ＰＴＴセッションから電話接続への十分にシームレスな移行、および／または
２．電話接続からＰＴＴセッションへの十分にシームレスな移行
が、その時点で参加している無線通信機器のユーザに対して実現される。ここでは、原理的に２つの解決手段に分類される：
Ａ  参加者機器のコントロールによる解決手段
Ｂ  ネットワークのコントロールによる解決手段
１．ＰＴＴセッションから電話接続への移行第１の初期シチュエーションでは、２つの無線通信機器間でＰＴＴセッションがすでに形成されている。すなわちこれら２つの無線通信機器間において、信号伝送処理部とＩＰベースの有効なデータ処理部とが形成されている。これらの無線通信機器は、たとえば図１のＵＥ１，ＵＥ２である。ここで両無線通信機器のユーザは、ＰＴＴセッションからＰＳＴＮ‐ＣＳ領域（Public Switched Telephone Netowork - Circuit Switched）内の通常の電話接続、すなわち無線ネットワークの伝送指向部分内の通常の電話接続へ、可能な限りシームレスに切換を行いたいと要望する。
【００５３】
１．Ａ  参加者機器のコントロールによる解決手段「参加者機器（ＵＥ＝User Equipment）のコントロールによる解決手段」とはここでは、切換を開始する無線通信機器が、該切換のコントロール権を有し留保することを意味する。このような無線通信機器は、以下の実施例では常に第１の無線通信機器ＵＥ１である（図１参照）。ここでは原理的に、この第１の無線通信機器ＵＥ１はＰＴＴセッションに依存せずに、ＰＳＴＮ‐ＣＳ（Public Switched Telephone Netowork - Circuit Switched）ネットワークを介して、すなわち無線ネットワークの伝送指向部分を介して、第２の無線通信機器との間に電話接続を形成する。この第２の無線通信機器は、この呼び出しを自動的に受諾するか、または該第２の無線通信機器のユーザに対してこの呼び出しを、該ユーザによって選択可能な手法で通知する。たとえば、第１の無線通信機器のユーザの切換の要望は光学的または音響的に表示される。とりわけ、第２の無線通信機器のユーザに対して、伝達された識別パラメータＰ１によって次のことが表示される。すなわち、該呼び出しがすでに実施中のＰＴＴセッションＰＣに所属し、ＰＴＴセッションＰＣに関連しない別の呼び出しではないことが表示される。電話接続が形成された後は、すべての音声データがＩＰベースのＰＴＴセッションを介して伝送されず、その代わりにＰＳＴＮ‐ＣＳベースの電話接続を介して伝送されるようになる。ＰＴＴセッションは直ちに、たとえば第１の無線通信機器ＵＥ１によって自動的に終了されるか、または、たとえば特定の時間の経過後に初めて終了される。この特定の時間は、たとえば５分である。またこれに対して択一的に、ＰＴＴセッションをさらに、第１の無線通信機器ＵＥ１と第２の無線通信機器ＵＥ２との間の通信が最終的に終了されるまで並行して継続することもできる。このように、両無線通信機器ＵＥ１，ＵＥ２間においてＰＴＴセッションと電話接続とを同時に並行して継続することにより、電話接続からＰＴＴセッションへの新規の切換を常に迅速に行うことができる。すなわち、その時点で要望されている通信接続の完全な新規形成を行う必要なく、フレキシブルに双方向に切り換えることができる。
【００５４】
１．Ｂ  ネットワークのコントロールによる解決手段「ネットワークのコントロールによる解決手段」とは、ＰＴＴセッションが実施されるＰＴＴサーバが切換のコントロール権を有し、前記の実施変形形態１．Ａのように参加している無線通信機器はコントロールの権限を有さないことを意味する。前記ＰＴＴサーバはたとえば、図１に示されたＰＴＴＳ１である。このようなネットワークのコントロールによる解決手段では、ＰＴＴセッションから電話接続への切換を要望する無線通信機器が、該切換の要望を通知信号によって、たとえば図１に示されたＰＴＴＳ１等のＰＴＴサーバに指示する。該無線通信機器はたとえばＵＥ１であり、前記通知信号はたとえばＩＳ２（図１参照）およびＩＳ２＊である。ＰＴＴサーバはその後、ＰＳＴＮ‐ＣＳ領域において第１の無線通信機器ＵＥ１を担当する交換ユニットＭＳＣ１に対し、たとえばＳＭ１等の制御信号によって次のことを指示する。すなわち、第１の無線通信機器ＵＥ１と第２の無線通信機器ＵＥ２との間に電話接続を形成すべきであることを指示する。このことに基づいて、交換ユニットＭＳＣ１は電話接続を形成するための相応の作業を開始する。その際には無線通信機器ＵＥ１，ＵＥ２は、それぞれに対して伝送された呼び出しをとりわけ自動的に受諾することができる。このことに対して択一的には、その時点の呼び出しが、各無線通信機器のユーザによって能動的な操作が行われることで初めて受諾される構成も可能である。電話接続が形成されると、すべての音声データがＩＰベースのＰＴＴセッションを介して伝送されるのではなく、その代わりにＰＳＴＮ‐ＣＳベースの電話接続を介して伝送されるようになる。場合によっては、電話接続を担当する交換ユニットがＰＴＴサーバに対して、電話接続が形成完了されたことを指示する。該交換ユニットは、ここではたとえばＭＳＣ１である。１．Ａの例と同様に、場合によってはＰＴＴセッションを、ＰＴＴサーバＰＴＴＳ１側で直ちに終了することができる。
【００５５】
２．電話接続からＰＴＴセッションへの移行第２の初期シチュエーションでは、ＰＳＴＮ‐ＣＳ領域内で通常の電話接続が両無線通信機器ＵＥ１，ＵＥ２間に形成されている。無線通信機器ＵＥ１，ＵＥ２の両ユーザは、この電話接続からＩＰベースのＰＴＴセッションへ、可能な限りシームレスに切り換えたいと要望する。
【００５６】
２．Ａ  参加者機器のコントロールによる解決手段ここでもまた、電話接続に参加している無線通信機器のうち１つが、切換のコントロールの権限を有する。このような無線通信機器は、この実施例では第１の無線通信機器ＵＥ１である。すでに形成されている電話接続と並行して、切換を開始する無線通信機器ＵＥ１はＰＴＴセッションＰＣを形成する。ＰＴＴセッションがアクティブになると直ちに、すべての音声データが電話接続を介して伝達されるのではなく、その代わりにＰＴＴセッションを介して伝達される。電話接続はその後、第１の無線通信機器ＵＥ１によって終了されるか、または並行して、所望の期間にわたって継続される。
【００５７】
２．Ｂ  ネットワークのコントロールによる解決手段
ここでは、電話接続を担当する無線ネットワークの制御ユニットが、ＰＴＴセッションへの切換をコントロールする権限を有する。このネットワーク側の制御ユニットは有利には、切換要望を有する無線通信機器に対して割り当てられた交換ユニットによって構成される。該交換ユニットはたとえばＭＳＣ１であり（図１参照）、該無線通信機器はたとえばＵＥ１である。無線通信機器ＵＥ１は、該無線通信機器ＵＥ１に対してネットワーク側で割り当てられた交換ユニットＭＳＣ１に対し、通知信号ＩＳ５によって、ＰＴＴセッションＰＣへの切換が要望されていることを指示する。この通知信号ＩＳ５は、図３では付加的に一点鎖線によって示されている。交換ユニットＭＳＣ１はその後、担当のＰＴＴサーバに対してたとえば制御信号ＭＳ１により、該ＰＴＴサーバが両無線通信機器ＵＥ１，ＵＥ２間にＰＴＴセッションを形成すべきであることを指示する。このＰＴＴサーバＰＴＳＳ１は、このことに基づいて相応の作業を開始する。とりわけＰＴＴサーバは、両無線通信機器ＵＥ１，ＵＥ２へ相応の問い合わせ信号を送信する。この問い合わせ信号に応答して、両無線通信機器ＵＥ１，ＵＥ２はＰＴＴセッションを、たとえば自動的に受諾することができる。ＰＴＴサーバのこのような問い合わせ信号は、図３では図面を見やすくするために省略されている。とりわけ、その時点で受信側の無線通信機器のユーザは、ＰＴＴセッションの形成のためのその時点で到着した問い合わせ信号を、能動的に確認応答することもできる。こうするためには、該ユーザは相応の応答信号をＰＴＴサーバへ返信する。ＰＴＴセッションが形成されると直ちに、すべての音声データが電話接続を介して伝送されるのではなく、その代わりにＰＴＴセッションを介して伝送されるようになる。有利には、ＰＴＴサーバは交換ユニットＭＳＣ１に対し、ＰＴＴセッションが形成完了されたことを指示する。その際には、この電話接続は場合によっては交換ユニットＭＳＣ１によって直ちに終了されるか、または、後で電話接続へ迅速に切り換え戻されることがユーザ側で最終的に排除されない場合には並行して継続することができる。
【００５８】
ＰＴＴセッションへの切換をコントロールする権限を有するネットワーク側の制御ユニットは択一的に、無線通信機器ＵＥ１に対して割り当てられたＰＴＴサーバＰＴＴＳ１によって構成される。この無線通信機器ＵＥ１は、ネットワーク側で割り当てられたＰＴＴサーバＰＴＴＳ１に対し、制御信号ないしは通知信号ＭＳ１＊によって次のことを指示する。すなわち、すでに形成されている伝送指向の電話接続ＴＣからＰＴＴセッションＰＣへの切換が要望されていることを指示する。前記制御信号ないしは通知信号ＭＳ１＊は、図３では付加的に一点鎖線で示されている。これに基づいて、ＰＴＴサーバＰＴＴＳ１は相応の作業を開始する。この作業の詳細なプロセスに関しては前記で、とりわけ前欄で説明した。
【００５９】
すでに形成されている第１の通信接続中にすでに、参加している少なくとも２つの無線通信機器間で第２の通信接続をアクティベートすることにより、「ＰＴＴ」サービスおよび「電話」サービスのユーザは単純に、かつ相互間で通信を中断せずに、両サービスをそのつど切り換えることができる。このようにして、その時点の通信要求とその時点の通信シチュエーションとに応じ、その時点でユーザ側で比較的快適ないしは有利であると見なされるサービスを使用することができる。参加者機器のコントロールによる解決手段の利点はとりわけ、実施する際に無線ネットワーク側で面倒な機能または付加的な機能が必要とされないことである。ネットワークのコントロールによる構成の利点はとりわけ、サービスのロジックを使用しかつ資源および経費をコントロールするネットワーク要素、すなわちここでは、たとえば交換ユニットＭＳＣ１，ＭＳＣ２およびＰＴＴサーバＰＴＴＳ１が、サービス切換を技術的にコントロールできるということである。この変形形態では、サービス切換をネットワークによって開始することさえもできる。その際には、参加している無線通信機器に面倒な制御手段を付加的に設ける必要はない。むしろ、既存の無線通信機器を使用することが可能になる。
【００６０】
参加者機器のコントロールによる解決手段において、第１の通信接続形式から第２の通信接続形式へ欠落なしで、すなわち十分に空白なしで切り換えることができるようにするために有利なのは、その時点で参加している無線通信機器においてユーザ識別子が、たとえばＰＴＴ等の一方のアプリケーションから、たとえば電話等のその時点で他方のアプリケーションへ引き継がれることである。前記ユーザ識別子は、たとえば電話番号および／またはＳＩＰアドレスである。さらに、電話接続ないしはＰＴＴセッションの付加的な形成時に行われる切換の要望の通知に関する信号伝送を拡張し、反対側の各無線通信機器が、呼び出しないしはＰＴＴセッションを自動的に受諾するようにすることも目的に適っている。その際には付加的な通信接続は、すでに形成されている通信接続に並行して、反対側のユーザの付加的な介入なしで行われる。第２の通信接続形式の形成時に第１の通信接続形式との関係が形成され、この関係が一意となるためには、信号伝送時に、有利には付加的に、すでに形成されている第１の通信接続を一意に識別する識別パラメータが、各無線通信機器の制御信号で切換の要望とともに搬送されるか、または、すでに形成されている通信接続をネットワーク側で担当する制御ユニットの制御信号で搬送される。該識別パラメータは、たとえばＴ１である。
【００６１】
ネットワークのコントロールによる解決手段では、ＰＴＴセッションから電話接続への切換が要望された場合、たとえばＵＥ１のような切換をトリガする無線通信機器は相応の通知信号を、該無線通信機器をネットワーク側で担当する交換ユニットへ送信し、電話接続からＰＴＴセッションへの切換が要求された場合、該無線通信機器は相応の通知信号を、たとえばＰＴＴＳ１等のＰＴＴサーバへ送信する。前記交換ユニットは、たとえばＭＳＣ１である。このような要求信号に基づいて、たとえばＭＳＣ１等である担当の交換ユニットは、パケット指向のＰＴＴセッションから伝送指向の電話接続への切換が要望された場合、たとえばＭＳ１等である制御信号を、伝送指向の電話接続を担当する制御ユニットへ伝達する。該制御ユニットは、ここではＰＴＴサーバＰＴＴＳ１である。パケット指向のＰＴＴセッションから伝送指向の電話接続への切換が行われる際には、たとえばＰＴＴＳ１等であるＰＴＴサーバは、たとえばＳＭ１等である少なくとも１つの制御信号を、無線ネットワーク内で伝送指向の電話接続を担当する制御ユニットへ伝達する。この制御ユニットは、ここではとりわけ、パケット指向のＰＴＴセッションから伝送指向の電話接続への切換をトリガする無線通信機器を担当する交換ユニットによって構成される。この交換ユニットは、たとえばＭＳＣ１である。呼び出しないしはＰＴＴセッションの形成の実施を確実に成功するためには、場合によっては、その時点で発信される通知信号ないしは制御信号を逆方向に、応答信号によって確認応答するのが目的に適っている。
【００６２】
実際には、とりわけ以下の実施変形形態を実施するのが有利である。
１．Ａの参加者機器のコントロールによる解決手段の例１：
ここでは、両無線通信機器ＵＥ１，ＵＥ２間でＰＴＴセッションが行われることを出発点とする。ＰＴＴサーバＰＴＴＳ１を介して行われるこれら２つの無線通信機器ＵＥ１，ＵＥ２の接続形成は、図１ではＰＣによって示されている。両無線通信機器ＵＥ１，ＵＥ２のユーザ間の通信がディスカッションに移行するので、両ユーザはＰＴＴセッションＰＣから通常の電話接続へ切り換えたいと要望する。このことは図２に相応している。こうするために、各無線通信機器のＰＴＴメニューにおいて「電話への切換」機能が提供されている。この機能はこの実施例では、第１の無線通信機器ＵＥ１のユーザによって選択される。これに基づいて第１の無線通信機器ＵＥ１内部で、該第１の無線通信機器ＵＥ１のＰＴＴアプリケーション（たとえばＰＴＴクライアント）が電話アプリケーションを、たとえばＰＴＴパートナーの電話番号を移行パラメータとして使用することによって呼び出す。該ＰＴＴパートナーの電話番号は、ここではすなわち第２の無線通信機器の電話番号である。これに基づいて第１の無線通信機器ＵＥ１は、電話接続の形成を担当する無線ネットワークの伝送指向部分に対して、呼び出し問い合わせＩＳ１を開始する。この伝送指向部分は、ＰＳＴＮ‐ＣＳ領域と称される。その後、呼び出し問い合わせＩＳ１は第２の無線通信機器に到着し、該第２の無線通信機器のユーザに対して相応に指示される。このようにして、該第２の無線通信機器のユーザに対してたとえば呼び出し音によって、第１の無線通信機器側でＰＴＴサービスから通常の電話接続への切換が要望されていることが通知される。第２の無線通信機器ＵＥ２のユーザが、たとえば確認応答信号ないしは応答信号ＲＩＳ１を第１の無線通信機器へ交換ユニットＭＳＣ１，ＭＳＣ２を介して返信することにより、この呼び出しＩＳ１を受諾すると、第１の無線通信機器ＵＥ１においてＰＴＴアプリケーションの電話アプリケーションが、電話接続が形成完了されたという応答を送出する。この状態が図２に示されている。ここでは、電話接続はＴＣによって示されている。この電話接続は、ＰＴＴセッションに対して並行して、ないしは付加的に、両無線通信機器ＵＥ１，ＵＥ２間で継続される。この電話接続ＴＣが両無線通信機器ＵＥ１，ＵＥ２間で形成されると、すべての音声データがＰＳＴＮ‐ＣＳ領域内のこの電話接続ＴＣを介して、両伝送方向で伝達されるようになり、しかも次のことに依存せずに伝達される。すなわち、ユーザがその時点で、該ユーザの無線通信機器でＰＴＴキーをアクティベートしたか否かに依存せずに伝達される。換言するとこのことは、図２のＰＴＴサーバを介しての音声接続はもはや存在せず、ネットワーク側で担当する交換ユニットＭＳＣ１，ＭＳＣ２を介しての通信接続のみが存在することを意味する。これに基づいて、切換の要望の発信元である第１の無線通信機器ＵＥ１にあるＰＴＴアプリケーションは、ＰＴＴセッションＰＣを直ちに終了するか、または調節可能な特定の期間の経過後に終了する。こうするためには第１の無線通信機器ＵＥ１は、ＳＩＰメッセージ「BYE」を担当のＰＴＴサーバへ送信する。この状態が図３に示されている。ここでは、両無線通信機器ＵＥ１，ＵＥ２間に電話接続ＴＣのみが継続されている。場合によっては、これに対して択一的に、ＰＴＴセッションＰＣをさらに継続して、電話接続ＴＣに対して並行して維持することも目的に適っている。こうすることにより、後でＰＴＴセッションＰＣへの再切換が要望された場合、このような再切換を比較的迅速に行えるようになる。このことはたとえば、両無線通信機器ＵＥ１，ＵＥ２のユーザ間でディスカッションが終了し、再び一時的にのみ音声メッセージが伝達される場合、すなわち単独で音声メッセージが伝達される場合に有利である。
【００６３】
両無線通信機器ＵＥ１，ＵＥ２間でサービス切換を、可能な限り通信の中断なしで実現するためには、第２の無線通信機器ＵＥ２が第１の無線通信機器ＵＥ１の呼び出し問い合わせＩＳ１を自動的に受諾する構成が特に有利である。すなわち、第２の無線通信機器ＵＥ２のユーザに対して呼び出し音により、呼び出しＩＳ１が通知されることはなく、該ユーザがこの呼び出しＩＳ１を受諾する必要もない。ここで目的に適っているのは、第１の無線通信機器ＵＥ１の呼び出し問い合わせ時に、識別パラメータすなわちいわゆるフラグ（FRAG）である「呼び出しの自動的な受諾（Ruf automatisch annehmen）」または「呼び出しによるアクティブなＰＴＴセッションの引き継ぎ（Ruf uebernimmt aktive PTT-Sitzung）」を通知信号ＩＳ１に組み込み、第２の無線通信機器ＵＥ２がこのような識別パラメータに基づいて、この呼び出しを自動的に受諾することである。このことに対して択一的または付加的に、第２の無線通信機器ＵＥ２は呼び出し問い合わせ時に通知信号ＩＳ１によって、同一の参加者との間で、すなわち同一の参加者に関連する電話番号との間ですでにＰＴＴセッションがアクティブであるか否かを検査することができる。このことが当てはまる場合のみ、呼び出しは自動的に受諾される。このことに対して択一的または付加的に、呼び出し問い合わせにおいて特に有利には、付加的にたとえばＰ１等である次のような識別パラメータが搬送される。すなわち、アクティブなＰＴＴセッションを一意で識別する識別パラメータが搬送される。これによって、新規に形成される伝送指向の電話接続が、すでに形成されているＰＴＴセッションに対して一意に割り当てられる。
【００６４】
１．Ａの参加者機器のコントロールによる解決手段の例１：
例１の開始時に電話呼び出しを形成するのに対して択一的に、第１の無線通信機器ＵＥ１において「電話への切換」機能がアクティベートされた後にいわゆるＳＩＰ（Session Initiation Protocol）メッセージをＰＴＴサーバＰＴＴＳ１へ送信することもできる。ＰＴＴサーバＰＴＴＳ１はこれに基づいて、相応のＳＩＰメッセージＰＴＴＳ１を第２の無線通信機器ＵＥ２へ伝達する。この通知信号は、図１では付加的に一点鎖線で示されており、ＩＳ２によって表されている。このＳＩＰメッセージには、ＰＳＴＮ‐ＣＳ領域における電話接続へ切り換えるという問い合わせが含まれている。このために使用されるＳＩＰメッセージは、たとえば「re-invite」または「info」であり、ここでは新規のヘッダ、すなわちたとえば「application-change: ＣＳ電話（CS-Telefonie）」等の新規のヘッドフィールドが挿入され、および／または、ＳＩＰメッセージのデータ部ないしはボディに相応のＳＤＰ（Session Description Protocol）メッセージが挿入される。場合によっては、第１の無線通信機器ＵＥ１から該無線通信機器ＵＥ１の電話番号ＰＮ１がＳＩＰメッセージＩＳ２に一緒に入力される構成が目的に適っている。この通知信号ＩＳ２に対する肯定応答として、第２の無線通信機器はＳＩＰメッセージＲＩＳ２を、第１の無線通信機器ＵＥ１へ返信する。ここでは、第２の無線通信機器ＵＥ２から該第２の無線通信機器ＵＥ２の電話番号ＰＮ２が、応答信号ないしは確認応答信号ＲＩＳ２に共に挿入されるのが目的に適っている。このように、両無線通信機器ＵＥ１，ＵＥ２間で電話接続を形成するためには２つの択一的手段が存在する。これらは、図４および５に概略的に示されている。
【００６５】
図４の第１の変形形態では、無線通信機器ＵＥ１は通知信号ＩＳ２を、ＰＴＴサーバＰＴＴＳ１を介して行われる介在的な交換により、第２の無線通信機器ＵＥ２へ送信する。第２の無線通信機器ＵＥ２はこの呼び出しを受諾し、確認応答信号ＲＩＳ２を該第２の無線通信機器ＵＥ２の電話番号ＰＮ２の宣言のもとで、第１の無線通信機器ＵＥ１へＰＴＴサーバＰＴＴＳ１を介して返信する。「200 OKAY (PN2)」という名前を有する確認応答信号ＲＩＳ２の受信後、第１の無線通信機器ＵＥ１はこれに基づいて、プロシージャＳＴＣによって呼び出し形成を開始する。というのも、第１の無線通信機器ＵＥ１はここで通話相手の電話番号ＰＮ２を把握したからである。その際には、ＵＥ１は第２の無線通信機器ＵＥ２の電話番号ＰＮ２をアドレスパラメータとして、ネットワーク側で担当の交換ユニットへ伝達する。
【００６６】
図５に示された変形形態では、電話接続ＴＣへの切換の要望を有するユーザに所属する第１の無線通信機器ＵＥ１は、通知信号ＩＳ２で該第１の無線通信機器ＵＥ１の電話番号ＰＮ１を第２の無線通信機器ＵＥ２へ搬送する。ここでは通知信号ＩＳ２は、すでに形成されているＰＴＴセッションの既存の信号伝送接続部および／またはデータ接続部を介しても伝達される。これは図５では、ＰＴＴサーバＰＴＴＳ１を両無線通信機器ＵＥ１，ＵＥ２のインタフェース間に破線の矩形によって、所属の接続線によって示すことによって図式化されている。この通知信号ＩＳ２に応答して、第２の無線通信機器ＵＥ２は第１の無線通信機器ＵＥ１へ、ＰＴＴサーバＰＴＴＳ１の介在的な交換によって応答信号ＲＩＳ２を、該第２の無線通信機器ＵＥ２の電話番号の宣言なしで返信する。次に、第２の無線通信機器は呼び出し形成を、プロシージャＳＴＣのアクティベートによって開始する。したがって、ここで図４の変形形態と異なる点は、第２の無線通信機器ＵＥ２が第１の無線通信機器ＵＥ１の代わりに、呼び出しを形成することである。こうするために第２の無線通信機器ＵＥ２は、ネットワーク側で該第２の無線通信機器ＵＥ２を担当する交換ユニットＭＳＣ２へ、通知信号ＩＳ２で伝送された第１の無線通信機器ＵＥ１の呼び出し番号ＰＮ１を伝送する。
【００６７】
たとえば図４のＲＩＳ２、図５のＩＳ２等である各ＳＩＰメッセージで搬送される電話番号ＰＮ２ないしはＰＮ１は、呼び出し形成のためにＳＩＰメッセージの各受信者ごとに必要とされる場合がある。ここでは、ＰＴＴセッションの信号伝送はＳＩＰベースであるため、電話接続への切換を要望する無線通信機器は、参加している他の無線通信機器の電話番号を全く把握していない場合がある。すなわちＰＴＴセッションでは、電話番号によらないＳＩＰアドレスのみによるユーザアドレス指定のみで十分である。
【００６８】
この例２では、有利には被呼者の自動的な呼び出し受諾が行われる。というのも、被呼側の参加者側では先行のＳＩＰ信号伝送に基づいて、要望されたＰＴＴセッションから電話接続への切換にこの呼び出し問い合わせが所属することが既知であるからだ。ここでは場合によっては、呼び出し問い合わせで付加的に、たとえばＰ１等の識別パラメータを搬送することができる。
【００６９】
１．Ｂのネットワークのコントロールによる解決手段の例３：
ここでも、第１の無線通信機器ＵＥ１のユーザは「電話への切換」機能を、該第１の無線通信機器ＵＥ１のＰＴＴメニューでアクティベートする。これに基づいて、第１の無線通信機器ＵＥ１はＰＴＴサーバＰＴＴＳ１に対し、ＰＴＴから電話へのサービス切換が要望されていることを指示する。こうするために、第１の無線通信機器ＵＥ１は通知信号ＩＳ２＊（図１参照）を、該第１の無線通信機器ＵＥ１の固有の電話番号ＰＮ１と参加している第２の無線通信機器ＵＥ２の電話番号ＰＮ２との宣言のもとで、ＰＴＴサーバＰＴＴＳ１へ送信する。この通知信号ＩＳ２＊に使用されるのは、有利にはＳＩＰフォーマットである。図６のインタフェーシングダイアグラムでは、このメッセージは識別子「1:INFO (PN1, PN2)」を有する。第２の無線通信機器ＵＥ２に対して、ＰＴＴから電話への切換の要望を指示できるようにするために目的に適っているのは、たとえば名前「Application-change: ＣＳ電話」を有する相応のヘッダを通知信号ＩＳ２に挿入すること、および／または、相応のＳＤＰ（Session Description Protocol）メッセージをＳＩＰメッセージのボディで搬送することである。第１の無線通信機器ＵＥ１が、問い合わせ信号ＩＳ２＊に対する確認応答信号ＲＩＳ２＊をＰＴＴサーバＰＴＴＳ１から受信した後、パケット交換領域すなわち無線ネットワークのパケット指向部分においてＰＴＴサーバＰＴＴＳ１は、無線ネットワークのＰＳＣＮ／ＣＳ領域において第１の無線通信機器ＵＥ１を担当する交換ユニットＭＳＣ１に対し、次のことを指示する。すなわち、第１の無線通信機器ＵＥ１側に両無線通信機器ＵＥ１，ＵＥ２間の電話接続への切換の要望が存在することを指示する。ここでＰＴＴサーバＰＴＴＳ１は、通知信号Ｒ２をＣＳＣＦ構成要素ＣＳＣＦ１（図１参照）へ送信し、ＣＳＣＦ構成要素ＣＳＣＦ１は通知信号Ｒ３を、ＢＧＣＦ（Breakout Gateway Control Function）ＢＧＣＦ１によって介在的交換が行われてＭＧＣＦ構成要素ＭＧＣＦ１へ送信する。このＭＧＣＦ構成要素ＭＧＣＦ１も、通知信号Ｒ４をＳＧＷ構成要素ＳＧＷ１へ伝達し、最後にＳＧＷ構成要素ＳＧＷ１は、名前「5: set up (PM1, PM2)」を有する通知信号ＳＵ５を交換ユニットＭＳＣ１へ送信する。個々の通知信号Ｒ２，Ｒ３，Ｒ４およびＳＵ５はここでは、全体的に見て制御信号として機能する。このような制御信号は、図６に付加的に一点鎖線によって表されており、ＳＭ１によって示されている。この制御信号には、電話番号ＰＮ１，ＰＮ２がアドレスパラメータとして含まれている。ＰＴＴセッションに参加している無線通信機器のうち少なくとも１つの無線通信機器の１つまたは複数のアドレスパラメータを少なくとも１つの制御信号によって、伝送指向の電話接続を担当する制御ユニットへ前記のように伝送することは、図７に詳細に示されている。無線通信機器ＵＥ１側の切換要望に関する通知信号ＩＳ２＊が受信された後、ＰＴＴサーバＰＴＴＳ１は、両無線通信機器ＵＥ１，ＵＥ２の電話番号ＰＮ１，ＰＮ２を通知する制御信号ＳＭ１を、ＣＳＣＦ（Call State Control Function）構成要素ＣＳＣＦ１と、ＭＧＣＦ（Media Gateway Control Function）構成要素ＭＧＣＦ１と、ＳＧＷ（Signalling Gateway）構成要素ＳＧＷ１とを介して、伝送指向の電話接続用の制御ユニ��トである交換ユニットＭＳＣ１へ送信する。個々の構成要素ＳＧＷ１，ＭＧＣＦ１，ＣＳＣＦ１を介して送信されるこのような連鎖的なメッセージ信号Ｒ６，Ｒ７，Ｒ８によって、ＰＴＴサーバＰＴＴＳ１に対し、呼び出し形成のための問い合わせが交換ユニットＭＳＣ１に到着したことが確認応答される。ＢＧＣＦ構成要素ＢＧＣＦ１は、ＣＳＣＦ構成要素ＣＳＣＦ１に対し、担当のＭＧＣＦ構成要素ＭＧＣＦ１を選出する機能を有する。このＢＧＣＦ構成要素ＢＧＣＦ１の機能はここでは、本発明の枠内では詳細に記載しない。ＭＧＣＦ構成要素ＭＧＣＦ１はとりわけ、ＰＳ領域とＰＳＴＮ／ＣＳ領域との間のインターワーキングすなわち共働のために使用される。ＳＧＷ構成要素ＳＧＷ１はとりわけ、ＰＳ領域内のＳＣＦＰ／ＩＰ（Simple Control Frameport Protocol/Internet Protocol）ベースの信号伝送ネットワークと、ＰＳＴＮ／ＣＳ領域内のＳＳ７信号伝送ネットワークとを接続する機能を有する。これらに関する詳細は、３ＧＰＰ ＴＳ ２３．２２８ Ｖ５．１１「IP Multimedia Subsystem (IMS); Stage 2」仕様に記載されている。
【００７０】
ここで、交換ユニットＭＳＣ１は「ネットワーク初期化による呼び出し」機能により、両無線通信機器ＵＥ１，ＵＥ２間に電話接続を形成する。この手順はとりわけ、３ＧＰＰ ＴＳ ２４．００８ Ｖ５．１０仕様の５．２．３「Mobile radio interface Layer 3 specification; Core network protocols; Stage 3」に詳細に記載されている。
【００７１】
交換ユニットＭＳＣ１側で行われる呼び出し形成のアクティベートは、図６ではＳＴＣによって示されている。交換ユニットＭＳＣ１はアクティベート手順ＳＴＣにより、第２の無線通信機器ＵＥ２の担当の交換ユニットＭＳＣ２の介在的な交換により、該第２の無線通信機器ＵＥ２に対して呼び出し問い合わせを開始する。図６では受信側の交換ユニットＭＳＣ２へのこのような信号伝送は、全体的に見やすくするために省略されている。第２の無線通信機器は、この呼び出しを自動的に受諾するか、または該第２の無線通信機器のユーザによる明示的な確認応答を要求することができる。電話接続が形成されると直ちに、すべての音声データがＰＳＴＮ／ＣＳ領域内のこの電話接続を介して、双方向に伝送されるようになる。ここでは音声データは、参加している無線通信機器ＵＥ１，ＵＥ２のユーザがその時点でＰＴＴキーをアクティベートしているか否かに依存せずに伝送される。さらに、交換ユニットＭＳＣ１はＰＴＴサーバＰＴＴＳ１に対し、確認応答信号ＥＳ９，Ｎ１０，Ｎ１１，Ｎ１２によって、構成要素ＳＧＷ１，ＭＧＣＦ１，ＣＳＣＦ１の関与により、電話接続が形成完了されたことを指示する。このことをＰＴＴサーバＰＴＴＳ１は、連鎖的な確認応答信号Ｒ１３，Ｒ１４，Ｒ１５をＳＧＷ構成要素ＳＧＷ１へ送信することによって確認応答する。最後にＰＴＴサーバＰＴＴＳ１は応答信号ＲＩＦ１６により、第１の無線通信機器ＵＥ１に対して、ＰＴＴから電話へ切り換えるための問い合わせの実行が成功したことを通知する。この通知信号ＩＦ１６に対し、無線通信機器ＵＥ１は応答信号ＲＩＦ１６によって、ＰＴＴサーバＰＴＴＳ１に対して応答する。これに基づいてＰＴＴサーバは、ＰＴＴセッションを直ちに終了するか、または特定の調節可能な時間の経過後に終了する。こうするためにはＰＴＴサーバは、名前「BYE」を有するＳＩＰメッセージを無線通信機器ＵＥ１，ＵＥ２へ送信する。場合によって後で、ＰＴＴセッションへ比較的迅速に切り換えられるようにするためには、ＰＴＴセッションを電話接続に対して並行してさらに長く維持することもできる。
【００７２】
２．Ａの参加者機器のコントロールによる解決手段の例４：
この実施変形形態の信号フローは例１と類似しているが、ここでは切換は逆方向に行われる。すなわち、電話接続からＰＴＴセッションへ切換が行われる。ここでの出発点は、両無線通信機器ＵＥ１，ＵＥ２間に電話接続が形成されていることである。このことは、図３に示されている。両無線通信機器のユーザ間の通信は時折のみ行われるので、該ユーザは電話接続ＴＣからＰＴＴセッションＰＣへ切り換えたいと希望する。このために、各無線通信機器の電話メニューに、「ＰＴＴセッションへの切換」機能が提供される。この実施例では、第１の無線通信機器ＵＥ１のユーザがこのメニューポイントを選択する。これに基づいて第１の無線通信機器ＵＥ１内部で、電話アプリケーションがＰＴＴアプリケーションを、とりわけ電話相手の電話番号ＰＮ２を移行パラメータとして使用して呼び出す。該ＰＴＴアプリケーションはたとえばＰＴＴクライアントであり、前記電話番号ＰＮ２は、ここではすなわち第２の無線通信機器ＵＥ２の電話番号である。このことによってＰＴＴクライアントは、パケット交換領域内でＰＴＴ問い合わせを、「ＩＰマルチメディアサブシステム（ＩＭＳ）」を介して、たとえば招待メッセージによって公知のように開始する。これに対して、第２の無線通信機器ＵＥ２の制御信号ＳＴ２により、通知信号ＩＳ６がパケット指向のネットワーク部分内の相応の構成要素へ送信される。この通知信号ＩＳ６は、図３では一点鎖線によって示されている。ＰＴＴセッションが確立されると、ＰＴＴアプリケーションは電話アプリケーションに対し、該ＰＴＴセッションの形成が成功したという応答を送出する。ＰＴＴセッションの形成および経過は、ここではとりわけＰＴＴサーバＰＴＴＳ１によってコントロールされる。ＰＴＴセッションの形成が完了した後は電話接続は、切換要望を本来有していた第１の無線通信機器ＵＥ１によって終了ないしは切断される。この時点から音声データは、ユーザがそのつどＰＴＴキーをアクティベートした場合のみ、ＰＳ領域内のＰＴＴセッションを介してのみ伝送される。すなわち、ＰＴＴセッションのみがアクティブである。
【００７３】
２．Ａの参加者機器のコントロールによる解決手段の例５：
ここでは例４に一部変更が加えられ、新規に形成された電話接続に並行して、すなわち同時に、ＰＴＴセッションが維持される。ここでは、両サービスがほとんど継ぎ目なしで、すなわちほとんど中断なしで、双方向に切り換えられる。たとえば、両無線通信機器ＵＥ１，ＵＥ２の参加者間で電話接続が通信のためにアクティブに切り換えられており、ＰＴＴアプリケーションへの切換が要望された場合、電話アプリケーションがＰＴＴアプリケーションに対してのみ、該ＰＴＴアプリケーションが音声伝送を再び引き継ぐべきことを通知する。ＰＴＴアプリケーションから電話アプリケーションへ肯定応答が送出された後に、電話アプリケーションは電話接続を終了する。したがって、ここでは例４と異なり、新規のＰＴＴセッションを付加的に形成する必要はなく、未だ並行して維持されて存在するＰＴＴセッションを、再びアクティブに使用するだけである。
【００７４】
２．Ｂのネットワークのネットワークコントロールによる解決手段の例６：
この実施変形形態は例３の方法の経過に相応するが、ここで例３と異なる点は、例６の切換が逆方向に行われることである。すなわち、電話接続からＰＴＴセッションへの切換が行われる。ここでの出発点は、両無線通信機器ＵＥ１，ＵＥ２間に電話接続ＴＣが形成されていることである。このことは、図３に示されている。ここでも第１の無線通信機器ＵＥ１のユーザが、該第１の無線通信機器ＵＥ１の電話メニューにおいて「ＰＴＴセッションへの切換」機能をアクティベートする。ここで、第１の無線通信機器ＵＥ１と関与するネットワーク構成要素との間のその後の信号フローが図８に示されている。第１の無線通信機器ＵＥ１は、該第１の無線通信機器ＵＥ１を担当する交換ユニットＭＳＣ１に対して制御信号ないしは通知信号ＩＳ１により、電話からＰＴＴへのサービス切換が要望されていることを指示する。この通知信号ＩＳ１には、両無線通信機器ＵＥ１，ＵＥ２の両電話番号ＰＮ１，ＰＮ２が同時に含まれている。この通知信号ＩＳ１は図８では、識別子「1: Switch to PTT (PN1, PN2)」を有する。交換ユニットＭＳＣ１は、ＳＧＷ構成要素ＳＧＷ１に対して通知信号ＳＵ２により、第１の無線通信機器ＵＥ１の切換要望があることを通知する。これに基づいて、ＳＧＷ構成要素ＳＧＷ１は通知信号ＲＦ３をＭＧＣＦ構成要素ＭＧＣＦ１へ伝送し、ＭＧＣＦ構成要素ＭＧＣＦ１もまた、ＣＳＣＦ１構成要素に対して情報信号ＲＦ４によって通知する。最後に、ＣＳＣＦ構成要素ＣＳＣＦ１は通知信号ＲＦ５をＰＴＴサーバＰＴＴＳ１へ送信する。ここでは、該ＰＴＴサーバＰＴＴＳ１に対して両電話番号ＰＮ１，ＰＮ２も通知される。このようにして交換ユニットＭＳＣ１は、伝送指向の電話接続に参加している少なくとも１つの無線通信機器の１つまたは複数のアドレスパラメータを、少なくとも１つの制御信号によって、パケット指向のＰＴＴセッションを担当する制御ユニットへ伝送する。この制御信号はこの実施例では、連鎖的な個々の信号ＳＵ２，ＲＦ３，ＲＦ４，ＲＦ５によって形成されている。これは、図８では付加的に一点鎖線で示されており、参照番号ＭＳ１が付与されている。制御信号ＭＳ１には、交換ユニットＭＳＣ１によって目的に応じて、すでに形成されている電話接続ＴＣを識別するための識別パラメータＴ１が挿入される。これによって初めて、要望されたＰＴＴセッションに対する一義的な割り当てが可能になり、別のＰＴＴセッションまたは電話接続との混同が回避される。通知信号ＩＳ１に対しては交換ユニットＭＳＣ１側で、第１の無線通信機器ＵＥ１へ確認応答信号ＲＩＳ１＊を送信することによって確認応答される。制御信号ＭＳ１の受信はＰＴＴサーバＰＴＴＳ１の側で、応答信号ＲＦ６をＣＳＣＦ構成要素ＣＳＣＦ１へ送信することによって確認応答される。ＣＳＣＦ構成要素ＣＳＣＦ１は確認応答信号ＲＦ７をＭＧＣＦ構成要素ＭＧＣＦ１へ送信し、ＭＧＣＦ構成要素ＭＧＣＦ１もまた、確認応答信号ＲＦ８をＳＧＷ構成要素ＳＧＷ１へ発送する。制御信号ＭＳ１に基づいてＰＴＴサーバは、参加している両無線通信機器ＵＥ１，ＵＥ２間でＰＴＴセッションを形成する。ＰＴＴセッションのこのアクティベートは、図８ではＳＰＴＴによって示されている。ＰＴＴセッションが形成されると直ちに、音声データはＰＳ領域内のＰＴＴセッションを介して、一方向にのみ伝送されるようになる。したがって、ここで送信権限が付与されるのは、無線通信機器でその時点でＰＴＴキーをアクティブ状態に維持しているユーザのみである。ＰＴＴサーバＰＴＴＳ１は第２の無線通信機器ＵＥ２に対し、相応に担当するＰＳ領域ネットワーク構成要素によって、情報信号ＩＳ７を使用して通知する。その際、第２の無線通信機器はこの問い合わせ信号ＩＳ７を、自動的に受諾する。また、第２の無線通信機器ＵＥ２のユーザに対して、第１の無線通信機器ＵＥ１が切換を要望していることを通知し、とりわけ音響的または光学的に表示することも目的に適っている。その際には、ユーザは自身で、この切換の要望を受諾したいか否かを決定する。第２の無線通信機器ＵＥ２が第１の無線通信機器ＵＥ１の切換要望を受諾し、このことを確認応答信号ＩＳ８によってＰＴＴサーバＰＴＴＳ１に対して指示すると、ＰＴＴサーバＰＴＴＳ１はＰＴＴセッションを手順ＳＰＴＴによってアクティベートする。ＰＴＴサーバＰＴＴＳ１がＰＴＴセッションを形成するのに成功した場合、このことを確認応答信号Ｎ０９によってＣＳＣＦ構成要素ＣＳＣＦ１に対して指示し、ＣＳＣＦ構成要素ＣＳＣＦ１はこのことを、確認応答信号ＮＯ１０によってＭＧＣＦ１構成要素に対して通知する。ＭＧＣＦ１構成要素は相応に、確認応答信号ＮＯ１１によってＳＧＷ構成要素ＳＧＷ１に対して通知し、ＳＧＷ構成要素ＳＧＷ１はこの確認応答を、確認応答信号ＳＵ１２によって交換ユニットＭＳＣ１へ転送する。場合によっては、交換ユニットＭＳＣ１は第１の無線通信機器ＵＥ１に対して確認応答信号ＳＷ１６により、電話からＰＴＴへの切換要望を実施するのに成功したことを通知する。これに対して無線通信機器ＵＥ１は、確認応答信号ＲＳＷ１６を交換ユニットＭＳＣ１へ送信する。通知信号ＮＯ９，ＮＯ１０，ＮＯ１１，ＳＵ１２は、時間的に連続する適切な応答信号ＲＮＯ１２，ＲＮＯ１３，ＲＮＯ１４，ＲＳＯ１５によって確認応答される。ＰＴＴサービスへの切換が終了すると、交換ユニットＭＳＣ１は電話接続ＴＣを切断する。これに対して択一的に、設定可能な期間にわたって電話接続を並行して維持することもできる。
【００７５】
２．Ｂのネットワークのネットワークコントロールによる解決手段の例7：
ここでの出発点も、両無線通信機器ＵＥ１，ＵＥ２間に電話接続ＴＣが形成されていることである。このことは、図３に示されている。ここでも第１の無線通信機器ＵＥ１のユーザが、該第１の無線通信機器ＵＥ１の電話メニューにおいて「ＰＴＴセッションへの切換」機能をアクティベートする。第１の無線通信機器ＵＥ１は、該第１の無線通信機器ＵＥ１を担当するＰＴＴサーバに対して通知信号ＭＳ１＊により、電話からＰＴＴへのサービス切換が要望されていることを指示する。この通知信号ＭＳ１＊には、両無線通信機器ＵＥ１，ＵＥ２の両電話番号ＰＮ１，ＰＮ２と、すでに形成されている伝送指向の電話接続を識別ないしは同定するかまたはマーキングするためのＩＤ（識別）パラメータとが同時に含まれている。ＰＴＴサーバはこれに基づいて、参加している両無線通信機器ＵＥ１，ＵＥ２間にＰＴＴセッションを形成する。ＰＴＴセッションが形成されると直ちに、音声データはＰＳ領域内のＰＴＴセッションを介して、一方向にのみ伝送されるようになる。したがって、ここで送信権限が付与されるのは、無線通信機器でその時点でＰＴＴキーをアクティブ状態に維持しているユーザのみである。ＰＴＴサーバＰＴＴＳ１がＰＴＴセッションを形成するのに成功した場合、このことをＣＳＣＦ１，ＭＧＣＦ１およびＳＧＷ１を介して交換ユニットＭＳＣ１に対して指示する。場合によっては、交換ユニットＭＳＣ１は第１の無線通信機器ＵＥ１に対して、電話からＰＴＴへの切換要望を実施するのに成功したことを通知する。これに対して無線通信機器ＵＥ１は、確認応答信号を交換ユニットＭＳＣ１へ送信する。ＰＴＴサービスへの切換が終了すると、交換ユニットＭＳＣ１は電話接続ＴＣを切断する。これに対して択一的に、設定可能な期間にわたって電話接続を並行して維持することもできる。
【００７６】
このようにして両通話相手が、通常の電話接続とＰＴＴサービスとを双方向で快適に切り換えられるようになる。実施に際しては、２つの変形形態が存在する。一方の変形形態は、両無線通信機器がそれ自体で、要望されたモードへ切換を行うための呼び出し形成をネットワーク構成要素の関与なしで制御する構成である。通話参加者が、当初形成された通信接続を介して未だ話している間に、要望された第２の通信接続が並行して形成される。両無線通信機器は、いつ切り換わるか、相互に対応する。ここでの利点は、ここでは相応の制御手段ないしは制御アプリケーションが、参加する無線通信機器に実装されるだけであり、かつ既存のネットワーク構成要素を使用できることである。このことは、ネットワークにおける変更が大幅に回避されることを意味する。他方の変形形態は、ネットワークが切換を、ユーザがキーを押すのに応答して準備および制御する構成である。この利点は、ネットワーク資源を最大限に利用できることである。このことによって、切換はより有利になる。さらに、オペレータが付加的に金銭的コストを要求することがない。しかしここでは、ネットワーク構成要素と参加している無線通信機器とが相応の制御信号および通知信号を相互に交換することにより、切換が開始される。こうするためには、ネットワーク構成要素と無線通信機器との間で、該当のインタフェースの標準化に関して適合を行うのが目的に適っている。
【図面の簡単な説明】
【００７７】
【図１】少なくとも２つの無線通信機器間でパケット指向のＰＴＴセッションを形成するための無線通信システムのネットワークアーキテクチャの主要な構成要素を示す概略図である。このＰＴＴセッションから、本発明による方法の種々の変形形態にしたがって、２つの参加無線通信機器間で伝送指向の電話接続に切り換えられる。
【図２】両無線通信機器間でパケット指向の通信接続と同時に、すなわちすでに形成されているパケット指向の通信接続に並行して伝送指向の通信接続を、本発明による方法の種々の実施形態にしたがって形成するための、図１のネットワークアーキテクチャにおける付加的なネットワーク構成要素を示す概略図である。
【図３】図２の両無線通信機器間でＰＴＴセッションの解消ないしは終了後に存在する、新規の第２の通信接続として要望された伝送指向の電話接続を示す概略図である。
【図４】すでに形成されているパケット指向のＰＴＴセッションから伝送指向の電話接続への切換を開始するために図１の両無線通信機器の無線インタフェースを介して行われる通信信号および制御信号の交換を示す概略図である。
【図５】すでに形成されているパケット指向のＰＴＴセッションから伝送指向の電話接続への切換を開始するために図１の両無線通信機器の無線インタフェースを介して行われる通信信号および制御信号の交換を示す概略図である。
【図６】本発明による方法の別の変形形態を実施するために、図１の無線ネットワークの構成要素と、ＰＴＴセッションから伝送指向の電話接続への切換を要望する無線通信機器との間で使用される情報信号および制御信号の信号フローを示す概略図である。
【図７】２つの参加無線通信機器間でパケット指向のＰＴＴセッションから伝送指向の電話接続へ切り換えるための図１および図２のネットワークアーキテクチャの構成要素を示す概略図である。ここでは本発明による方法の別の変形形態にしたがって、該２つの通信接続形式の切換をＰＴＴサービスの制御ユニットによってコントロールする。
【図８】図１および図２の無線ネットワークアーキテクチャのネットワーク構成要素と、本発明の方法の別の変形形態にしたがって行われるその時点までの伝送指向の電話接続からパケット指向のＰＴＴセッションへの切換の要望の発信元である図１の第１の無線通信機器との間の信号フローを示す概略図である。
【図１】
2007522745.tif 000003
【図２】
2007522745.tif 000004
【図３】
2007522745.tif 000005
【図４】
2007522745.tif 000006
【図５】
2007522745.tif 000007
【図６】
2007522745.tif 000008
【図７】
2007522745.tif 000009
【図８】
2007522745.tif 000010
【国際調査報告】
2007522745.tif 000011
2007522745.tif 000012
2007522745.tif 000013
2007522745.tif 000014